(57)【要約】      （修正有）【課題】送信能力を大幅に改善するための多元キャリアの利用を提供する。【解決手段】マルチキャリア動作のために、端末は多元順方向回線（ＦＬ）キャリア及び少なくとも一つの逆方向回線（ＲＬ）キャリアの割当を受取る。キャリアは少なくとも一つの群に配置され、各群は少なくとも一つのＦＬキャリア及び一つのＲＬキャリアを含む。端末は各群におけるＦＬキャリア上でパケットを受取り、そして受取られたパケットに関する受信通知をその群におけるＲＬキャリアを経由して送る。端末は各群におけるＦＬキャリアに関するチャネル品質指標（ＣＱＩ）通報をその群におけるＲＬキャリアによって送る。端末はまたデータをＲＬキャリア上で伝送する。端末は指定されたＲＬ信号通信を（例えば、呼出を発信するために）主要ＲＬキャリア上で送り、そして指定されたＦＬ信号通信を（例えば、呼出設定のために）主要ＦＬキャリア上で受取る。【選択図】図１０
2011125000.tif 000002
【特許請求の範囲】
【請求項１】
多元順方向回線（ＦＬ）キャリア及び少なくとも一つの逆方向回線（ＲＬ）キャリアの割当を受け、且つデータ伝送を一以上の多元ＦＬキャリア上で受取るように構成された少なくとも一つのプロセッサ、及び
少なくとも一つのプロセッサに接続されたメモリを具備する装置。
【請求項２】
少なくとも一つのプロセッサは各ＦＬキャリアに関する受信データ伝送を別々に復調し、且つ復号するように構成される、請求項１記載の装置。
【請求項３】
少なくとも一つのプロセッサは少なくとも一つのＲＬキャリアの中の主要ＲＬキャリア上で指定されたＲＬ信号通信を送り、且つ多元ＦＬキャリアの中の主要ＦＬキャリア上で指定されたＦＬ信号通信を受取るように構成される、請求項１記載の装置。
【請求項４】
少なくとも一つのプロセッサは主要ＲＬキャリア上で呼出を発信し、且つ主要ＦＬキャリア上で呼出設定に関する信号通信を受取るように構成される、請求項３記載の装置。
【請求項５】
少なくとも一つのプロセッサは主要ＦＬキャリアの受信信号品質に基づいて順方向回線上でデータ伝送のための基地局を選択するように構成される、請求項３記載の装置。
【請求項６】
多元ＦＬキャリア及び少なくとも一つのＲＬキャリアは少なくとも一つの群に配置され、各群は少なくとも一つのＦＬキャリア及びＲＬキャリアを含む、請求項１記載の装置。
【請求項７】
少なくとも一つのプロセッサは各群における少なくとも一つのＦＬキャリア上でパケットを受取り、且つ各群において受信パケットに関する受信通知をその群におけるＲＬキャリアによって送るように構成される、請求項６記載の装置。
【請求項８】
少なくとも一つのプロセッサは各群における少なくとも一つのＦＬキャリアに関するチャネル品質指標（ＣＱＩ）通報をその群におけるＲＬキャリアによって送るように構成される、請求項６記載の装置。
【請求項９】
各群における一つのＦＬキャリアは群の主要ＦＬキャリアとして指定され、そして少なくとも一つのプロセッサは群の主要ＦＬキャリア経由の各群におけるＲＬキャリアに関する信号通信を受取るように構成される、請求項６記載の装置。
【請求項１０】
多元順方向回線（ＦＬ）キャリア及び少なくとも一つの逆方向回線（ＲＬ）キャリアの割当を受取ること、及び
一以上の多元ＦＬキャリア上でデータ伝送を受取ることを含む方法。
【請求項１１】
指定されたＦＬ信号通信を多元ＦＬキャリアの中の主要ＦＬキャリア上で受取ること、及び
指定されたＲＬ信号通信を多元ＲＬキャリアの中の主要ＲＬキャリア上で送ることを含む、請求項１０記載の方法。
【請求項１２】
多元ＦＬキャリア及び少なくとも一つのＲＬキャリアは少なくとも一つの群に配置され、各群は少なくとも一つのＦＬキャリア及び一つのＲＬキャリアを含み、その方法は、
各群における少なくとも一つのＦＬキャリア上でパケットを受取ること、及び
各群における受信パケットに関する受信通知をその群のＲＬキャリアによって送ることをさらに含む、請求項１０記載の方法。
【請求項１３】
各群における少なくとも一つのＦＬキャリアに関するチャネル品質指標（ＣＱＩ）通報をその群におけるＲＬキャリアによって送ることをさらに含む、請求項１２記載の方法。
【請求項１４】
多元順方向回線（ＦＬ）キャリア及び少なくとも一つの逆方向回線（ＲＬ）キャリアの割当を受取る手段、及び
一以上の多元ＦＬキャリア上でデータ伝送を受取る手段を具備する装置。
【請求項１５】
指定されたＦＬ信号通信を多元ＦＬキャリアの中の主要ＦＬキャリア上で受取る手段、及び
指定されたＲＬ信号通信を少なくとも一つのＲＬキャリアの中の主要ＲＬキャリア上で送る手段をさらに具備する、請求項１４記載の装置。
【請求項１６】
多元ＦＬキャリア及び少なくとも一つのＲＬキャリアは少なくとも一つの群に配置され、各群は少なくとも一つのＦＬキャリア及び一つのＲＬキャリアを含み、その装置は、
各群における少なくとも一つのＦＬキャリア上でパケットを受取る手段、及び
各群における受信パケットに関する受信通知をその群のＲＬキャリアによって送る手段をさらに具備する、請求項１４記載の装置。
【請求項１７】
各群における少なくとも一つのＦＬキャリアに関するチャネル品質指標（ＣＱＩ）通報をその群におけるＲＬキャリアによって送る手段をさらに具備する、請求項１６記載の装置。
【請求項１８】
多元順方向回線（ＦＬ）キャリア及び少なくとも一つの逆方向回線（ＲＬ）キャリアの割当を受取り、そして
一以上の多元ＦＬキャリア上でのデータ伝送の受信を指令するように動作可能な命令を記憶するためのプロセッサ可読媒体。
【請求項１９】
多元ＦＬキャリアの中の主要ＦＬキャリア上での指定されたＦＬ信号通信の受信を指令すし、及び
少なくとも一つのＲＬキャリアの中の主要ＲＬキャリア上での指定されたＲＬ信号通信の伝送を指令するように動作可能な命令をさらに記憶する、請求項１８記載のプロセッサ可読媒体。
【請求項２０】
多元データ・チャネル上で受取られたパケットの受信通知を取得し、データ・チャネルに関するシンボル系列を生成するために各データ・チャネルに関する受信通知をデータ・チャネルに割当てられた直交符号によってチャネル化し、そして多元データ・チャネルに関するシンボル系列に基づいて受信通知チャネルに関する変調シンボルを生成するように構成された少なくとも一つのプロセッサ、及び
少なくとも一つのプロセッサに接続されたメモリを具備する装置。
【請求項２１】
少なくとも一つのプロセッサは多元データ・チャネル上でパケットを多元順方向回線（ＦＬ）キャリア経由で受取るように構成される、請求項２０記載の装置。
【請求項２２】
少なくとも一つのプロセッサは受信通知チャネルに関する変調シンボルを生成するために各データ・チャネルに関するシンボル系列を多数回複製し、且つ多元データ・チャネルに関する複製シンボル系列を加算するように構成される、請求項２０記載の装置。
【請求項２３】
受信通知がただ一つのデータ・チャネルについて送られつつあれば、少なくとも一つのプロセッサは全てゼロの直交符号を使用するように構成される、請求項２０記載の装置。
【請求項２４】
データ・チャネルの数は設定可能である、請求項２０記載の装置。
【請求項２５】
データ・チャネルの数が第一の値より小さければ第一の長さの直交符号を使用し、データ・チャネルの数が第一の値に等しいか、大きければ第二の長さの直交符号を使用するように構成される、請求項２４記載の装置。
【請求項２６】
各データ・チャネルに関する直交符号はウォルシュ符号である、請求項２０記載の装置。
【請求項２７】
多元データ・チャネルは符号分割多元接続（ＣＤＭＡ）システムにおいて多元順方向回線キャリア上で送られる順方向パケット・データ・チャネル（Ｆ-ＰＤＣＨ）である、請求項２０記載の装置。
【請求項２８】
多元データ・チャネル上でパケットの受信通知を取得すること、  
データ・チャネルに関するシンボル系列を生成するために各データ・チャネルに関する受信通知をそのデータ・チャネルに割当てられた直交符号によってチャネル化すること、及び
多元データ・チャネルに関するシンボル系列に基づいて受信通知チャネルに関する変調シンボルを生成することを含む方法。
【請求項２９】
変調シンボルを生成することは、
各データ・チャネルに関するシンボル系列を多数回複製すること、及び
受信通知チャネルに関する変調シンボルを取得するために多元データ・チャネルに関する複製シンボル系列を加算することを含む、請求項２８記載の方法。
【請求項３０】
データ・チャネルの数が第一の値より小さければ第一の長さの直交符号を使用すること、及び
データ・チャネルの数が第一の値に等しいか、大きければ第二の長さの直交符号を使用することを含む、請求項２８記載の方法。
【請求項３１】
多元データ・チャネル上でパケットの受信通知を取得する手段、  
データ・チャネルに関するシンボル系列を生成するために各データ・チャネルに関する受信通知をそのデータ・チャネルに割当てられた直交符号によってチャネル化する手段、及び
多元データ・チャネルに関するシンボル系列に基づいて受信通知チャネルに関する変調シンボルを生成する手段を具備する装置。
【請求項３２】
変調シンボルを生成する手段は、  
各データ・チャネルに関するシンボル系列を多数回複製する手段、及び
受信通知チャネルに関する変調シンボルを取得するために多元データ・チャネルに関する複製シンボル系列を加算する手段を具備する、請求項３１記載の装置。
【請求項３３】
データ・チャネルの数が第一の値より小さければ第一の長さの直交符号を使用する手段、及び
データ・チャネルの数が第一の値に等しいか、大きければ第二の長さの直交符号を使用する手段をさらに具備する、請求項３１記載の装置。
【請求項３４】
多元順方向回線（ＦＬ）キャリアに関する完全チャネル品質指標（ＣＱＩ）通報を取得し、そして多元ＦＬキャリアに関する完全ＣＱＩ通報を別の時間区間（time intervals）にＣＱＩチャネル上で送り、完全な各ＣＱＩ通報は一つのＦＬキャリアに関する受信信号品質を表わすように構成された少なくとも一つのプロセッサ、及び
少なくとも一つのプロセッサに接続されたメモリを具備した装置。
【請求項３５】
少なくとも一つのプロセッサは多元ＦＬキャリアの間を巡回し、且つ完全ＣＱＩ通報を送る時間に一つのＦＬキャリアを選択し、そして完全ＣＱＩ通報を送るために指定された時間区間に選択された各ＦＬキャリアに関する完全ＣＱＩ通報を送るように構成される、請求項３４記載の装置。
【請求項３６】
少なくとも一つのプロセッサは特定の時間区間の多元ＦＬキャリアに関する差分ＣＱＩ通報を取得し、符号語を得るため多元ＦＬキャリアに関する差分ＣＱＩ通報を一緒に符号化し、そして特定の時間区間にＣＱＩチャネル上で符号語を送るように構成される、請求項３４記載の装置。
【請求項３７】
少なくとも一つのプロセッサはＦＬキャリアの数に基づいてブロック符号を選択し、そして符号語を得るため差分ＣＱＩ通報を選択されたブロック符号によって一緒に符号化するように構成される、請求項３６記載の装置。
【請求項３８】
少なくとも一つのプロセッサは選択された基地局に関する直交符号によって完全な各ＣＱＩ通報をチャネル化するように構成される、請求項３４記載の装置。
【請求項３９】
少なくとも一つのプロセッサは選択された基地局に関する直交符号によって符号語をチャネル化するように構成される、請求項３６記載の装置。
【請求項４０】
多元ＦＬキャリアは符号分割多元接続（ＣＤＭＡ）システムに関するものである、請求項３４記載の装置。
【請求項４１】
多元順方向回線（ＦＬ）キャリアに関する完全チャネル品質指標（ＣＱＩ）通報を取得することであって、完全な各ＣＱＩ通報は一つＦＬキャリアの受信信号品質を表わし、及び
多元ＦＬキャリアに関する完全ＣＱＩ通報を別の時間区間にＣＱＩチャネル上で送ることを含む方法。
【請求項４２】
選択された基地局に関する直交符号によって完全な各ＣＱＩ通報をチャネル化することをさらに含む、請求項４１記載の方法。
【請求項４３】
特定の時間区間の多元ＦＬキャリアに関する差分ＣＱＩ通報を取得すること、
符号語を得るために多元ＦＬキャリアに関する差分ＣＱＩ通報を一緒に符号化すること、及び
符号語をＣＱＩチャネル上で特定の時間区間に送ることを含む、請求項４１記載の方法。
【請求項４４】
多元順方向回線（ＦＬ）キャリアに関する完全チャネル品質指標（ＣＱＩ）通報を取得する手段であって、完全な各ＣＱＩ通報は一つＦＬキャリアの受信信号品質を表わす手段、及び
多元ＦＬキャリアに関する完全ＣＱＩ通報を別の時間区間にＣＱＩチャネル上で送る手段を具備する装置。
【請求項４５】
選択された基地局に関する直交符号によって完全な各ＣＱＩ通報をチャネル化する手段をさらに具備する、請求項４４記載の装置。
【請求項４６】
特定の時間区間の多元ＦＬキャリアに関する差分ＣＱＩ通報を取得する手段、
符号語を得るために多元ＦＬキャリアに関する差分ＣＱＩ通報を一緒に符号化する手段、及び
符号語をＣＱＩチャネル上で特定の時間区間に送る手段を具備する、請求項４４記載の装置。
【請求項４７】
ゲートされたパイロットの伝送を可能にする制御保留モードにおいて動作し、制御保留モードの間、順方向回線上で送られたデータ・チャネルを受取り、他の伝送が逆方向回線上で送られていなければゲートされたパイロットを逆方向回線上で伝送し、そして伝送が逆方向回線上で送られつつあれば完全パイロットを逆方向回線上で伝送するように構成された少なくとも一つのプロセッサ、及び
少なくとも一つのプロセッサに接続されたメモリを具備する装置。
【請求項４８】
少なくとも一つのプロセッサはデータ・チャネル上で受取られたパケットについて受信通知を生成し、逆方向回線上で完全パイロットと共に受信通知を送り、そして逆方向回線上で完全パイロットの伝送を終えた後でゲートされたパイロットの伝送を再開するように構成される、請求項４７記載の装置。
【請求項４９】
少なくとも一つのプロセッサは制御保留モードを抜け出す信号を受取るか、データを逆方向回線上で伝送すると制御保留モードから移行するように構成される、請求項４７記載の装置。
【請求項５０】
データ・チャネルは符号分割多元接続（ＣＤＭＡ）システムにおいて順方向回線キャリア上で送られた順方向パケット・データ・チャネル（Ｆ-ＰＤＣＨ）である、請求項４７記載の装置。
【請求項５１】
ゲートされたパイロットの伝送を可能にする制御保留モードにおいて動作すること、
制御保留モードの間、順方向回線上で送られたデータ・チャネルを受取ること、  
他の伝送が逆方向回線上で送られていなければゲートされたパイロットを逆方向回線上で伝送すること、及び
伝送が逆方向回線上で送られつつあれば完全パイロットを逆方向回線上で伝送することを含む方法。
【請求項５２】
データ・チャネル上で受取られたパケットに関する受信通知を生成すること、
完全パイロットと共に受信通知を逆方向回線上で送ること、及び
逆方向回線上の受信通知の伝送を完了した後、ゲートされたパイロットの伝送を再開することをさらに含む、請求項５１記載の方法。
【請求項５３】
ゲートされたパイロットの伝送を可能にする制御保留モードにおいて動作する手段、
制御保留モードの間、順方向回線上で送られたデータ・チャネルを受取る手段、
他の伝送が逆方向回線上で送られていなければゲートされたパイロットを逆方向回線上で伝送する手段、及び
伝送が逆方向回線上で送られつつあれば完全パイロットを逆方向回線上で伝送する手段を具備する装置。
【請求項５４】
データ・チャネル上で受取られたパケットに関する受信通知を生成する手段、  
完全パイロットと共に受信通知を逆方向回線上で送る手段、及び
逆方向回線上の受信通知の伝送を完了した後、ゲートされたパイロットの伝送を再開する手段をさらに具備する、請求項５３記載の装置。
【発明の詳細な説明】
【技術分野】
【０００１】
３５Ｕ．Ｓ．Ｃ．§１１９に基づく優先権主張
本特許の出願は「無線通信における高速データ伝送のための方法及び装置（METHOD AND APPARATUS FOR HIGH RATE DATA TRANSMISSION IN WIRELESS COMMUNICATIONS）」と題し、２００５年３月２９日に出願され、この譲受人に譲渡され、そして引用によりここに特に組込まれた仮出願連番号６０／６６６，４６１号に対する優先権を主張する。
【０００２】
本発明は一般に通信に係り、特に高速データ伝送のための技術に関係する。
【背景技術】
【０００３】
無線通信システムは音声、パケット・データ、同報、メッセージ通信、等々といった様々な通信サービスを行うために広く配備されている。これらのシステムは利用可能なシステム資源を共有することによって多数のユーザーの通信に対応することが可能な多元接続システム（multiple-access systems）である。そのような多元接続システムの例は符号分割多元接続（ＣＤＭＡ）システム、時分割多元接続（ＴＤＭＡ）システム、周波数分割多元接続（ＦＤＭＡ）システム、及び直交周波数分割多元接続（ＯＦＤＭＡ）システムを含む。
【発明の概要】
【０００４】
無線通信システムのためのデータ利用は高度なデータ要求を持つ新しいアプリケーションの出現と同様にユーザー数の増加のために絶えず成長している。しかしながら、或るシステムは一般的にシステムの設計によって決定される伝送能力を制限してきた。伝送能力の大幅な増加は新世代または新設計のシステムを配備することによって大抵は実現される。例えば、第二世代（２Ｇ）から第三世代（３Ｇ）のセルラー・システムへの推移はデータ速度及び機能の大幅な改善を行っている。しかしながら、新しいシステム配備は費用がかかり、そして大抵は複雑である。
【０００５】
従って、無線通信システムの伝送能力を効率的、且つ費用効果的な方法で改善する技術が当技術分野において必要である。
【０００６】
伝送能力を大幅に向上させるために順方向及びまたは逆方向回線上で多元キャリアを利用する技術をここに述べる。これらの技術は、例えば、ｃｄｍａ２０００といった様々な無線通信システムのために使用される。これらの技術は単一キャリア動作のために設計された既存のチャネル構造の比較的小変更によって様々な便益を提供する。
【０００７】
本発明の実施例に従って、少なくとも一つのプロセッサ及びメモリを含む装置を述べる。プロセッサは多元順方向回線（forward link：ＦＬ）キャリア及び少なくとも一つの逆方向回線（reverse link：ＲＬ）キャリアの割当を受ける。その後、プロセッサは一以上の多元ＦＬキャリア上でデータ伝送を受取る。
【０００８】
別の実施例によって、多元ＦＬキャリア及び少なくとも一つのＲＬキャリアの割当を受ける方法が提供される。データ伝送は一以上の多元ＦＬキャリア上で受取られる。
【０００９】
さらに別の実施例によって、多元ＦＬキャリア及び少なくとも一つのＲＬキャリアの割当を受ける手段、及び一以上の多元ＦＬキャリア上でデータ伝送を受取る手段を含む装置を述べる。
【００１０】
さらに別の実施例によって、少なくとも一つのプロセッサ及びメモリ含む装置を述べる。プロセッサは多元データ・チャネル（例えば、Ｆ-ＰＤＣＨ）上で受取られたパケットについて受信通知（acknowledgements）を取得し、データ・チャネルについてシンボル系列を生成するためにデータ・チャネルに割当てられた直交符号によって各データ・チャネルについて受信通知をチャネル化し、そして多元データ・チャネルについてシンボル系列に基づいて受信通知チャネル（例えば、Ｒ-ＡＣＫＣＨ）に関する変調シンボルを生成する。
【００１１】
さらに別の実施例によって、多元データ・チャネル上で受取られたパケットについて受信通知を取得する方法が提供される。各データ・チャネルの受信通知はデータ・チャネルについてシンボル系列を生成するためにデータ・チャネルに割当てられた直交符号によってチャネル化される。受信通知チャネルの変調シンボルは多元データ・チャネルのシンボル系列に基づいて生成される。
【００１２】
さらに別の実施例によって、多元データ・チャネル上で受取られたパケットについて受信通知を取得する手段、データ・チャネルについてシンボル系列を生成するためにデータ・チャネルに割当てられた直交符号によって各データ・チャネルについて受信通知をチャネル化する手段、及び多元データ・チャネルのシンボル系列に基づいて受信通知チャネルについて変調シンボルを生成する手段を含む装置を述べる。
【００１３】
さらに別の実施例によって、少なくとも一つのプロセッサ及びメモリを含む装置を述べる。プロセッサは一つのＦＬキャリアに関する受信信号品質を示す完全な各チャネル品質指標（ＣＱＩ）通報によって、多元ＦＬキャリアについて完全なＣＱＩ通報を取得する。プロセッサは多元ＦＬキャリアについて完全なＣＱＩ通報をＣＱＩチャネル（例えば、Ｒ-ＣＱＩＣＨ）上で異なる時間間隔で送る。
【００１４】
さらに別の実施例によって、一つのＦＬキャリアについて受信信号品質を示す完全な各ＣＱＩ通報によって、多元ＦＬキャリアについて完全なＣＱＩ通報を取得する方法が提供される。多元ＦＬキャリアの完全なＣＱＩ通報はＣＱＩ上で異なる時間間隔で送られる
さらに別の実施例によって、一つのＦＬキャリアについて受信信号品質を示す完全な各ＣＱＩ通報によって、多元ＦＬキャリアについて完全なＣＱＩ通報を取得する手段、及び多元ＦＬキャリアの完全なＣＱＩ通報をＣＱＩチャネル上で異なる時間間隔で送る手段を含む装置を述べる。
【００１５】
さらに別の実施例によって、少なくとも一つのプロセッサ及びメモリを含む装置を述べる。プロセッサはゲート・パイロットの伝送を許容する制御保留（control-hold）モードにおいて動作し、制御保留モードにおける間に順方向回線上で送られたデータ・チャネル（例えば、Ｐ-ＰＤＣＨ）を受取り、他の伝送が逆方向回線上で送られていなければ逆方向回線上でゲートされたパイロットを伝送し、そして伝送が逆方向回線上で送られつつあれば逆方向回線上で完全なパイロットを伝送する。
【００１６】
さらに別の実施例によって、ゲート・パイロットの伝送を許容する制御保留モードにおいて端末が動作する方法が提供される。順方向回線上で送られたデータ・チャネルは制御保留モードにおける間に受取られる。他の伝送が逆方向回線上で送られつつなければ、ゲートされたパイロットは逆方向回線上で伝送される。伝送が逆方向回線上で伝送されつつあれば、完全なパイロットが逆方向回線上で伝送される。
【００１７】
さらに別の実施例によって、ゲートされたパイロットの伝送を許容する制御保留モードで動作する手段、制御保留モードにおける間に順方向回線上で送られるデータ・チャネルを受取る手段、他の伝送が逆方向回線上で送られつつなければゲートされたパイロットを逆方向回線上で伝送する手段、及び伝送が逆方向回線上で伝送されつつあれば完全なパイロットを逆方向回線上で伝送する手段を含む装置を述べる。
【００１８】
本発明の様々な形態及び実施例は下記でさらに詳細に述べる。
【図面の簡単な説明】
【００１９】
【図１】無線通信システムを示す。
【図２】ｃｄｍａ２０００における順方向回線上の典型的なデータ伝送を示す。
【図３】典型的な多元キャリア構造を示す。
【図４Ａ】ｃｄｍａ２０００改訂ＤにおけるＲ-ＡＣＫＣＨ構造を示す。
【図４Ｂ】多元ＦＬキャリアについて最大３及び７のＲ-ＡＣＫＣＨにそれぞれ対応することができる新しいＲ-ＡＣＫＣＨ構造を示す。
【図４Ｃ】多元ＦＬキャリアについて最大３及び７のＲ-ＡＣＫＣＨにそれぞれ対応することができる新しいＲ-ＡＣＫＣＨ構造を示す。
【図５Ａ】ｃｄｍａ２０００改訂ＤにおけるＲ-ＣＱＩＣＨ構造を示す。
【図５Ｂ】多元ＦＬキャリアに対応することができる新しいＲ-ＣＱＩＣＨ構造を示す。
【図６Ａ】新しいＲ-ＣＱＩＣＨ上の典型的な伝送を示す。
【図６Ｂ】新しいＲ-ＣＱＩＣＨ上の典型的な伝送を示す。
【図６Ｃ】新しいＲ-ＣＱＩＣＨ上の典型的な伝送を示す。
【図６Ｄ】新しいＲ-ＣＱＩＣＨ上の典型的な伝送を示す。
【図６Ｅ】新しいＲ-ＣＱＩＣＨ上の典型的な伝送を示す。
【図７】Ｒ-ＰＩＣＨ上の完全及びゲートされたパイロットの伝送を示す。
【図８】多元キャリア動作について端末によって行われる手順を示す。
【図９】受信通知を送るための処理を示す。
【図１０】ＣＱＩ通報を送るための処理を示す。
【図１１】多元キャリア動作についてパイロット・オーバーヘッドを減少させるための処理を示す。
【図１２】基地局及び端末のブロック図を示す。
【発明を実施するための形態】
【００２０】
用語「典型的な（exemplary）」は「例（example）、事例（instance）、または例証（illustration）として役立つ」ことを意味するものとしてここでは使用される。「典型的な」としてここに記述された実施例は他の実施例に対して好ましい、或いは有利であると必ずしも解釈されるものではない。
【００２１】
図１は多数の基地局１１０及び多数の端末１２０を持つ無線通信システム１００示す。基地局は一般的に端末と通信し、且つまたノードＢ、アクセス・ポイント、基地送受信サブシステム（ＢＴＳ）、または他の用語で呼ばれる固定局である。各基地局１１０は特定の地域１０２について通信範囲（communication coverage）を提供する。術語「セル（cell）」は基地局及び／またはその術語が使われる文脈に応じてその通信区域をいうことがある。システム能力を改善するために、基地局通信区域は多数の小さな領域、例えば、三つの小さな領域１０４ａ、１０４ｂ、及び１０４ｃに分割される。術語「セクター」はその用語が使われる文脈に応じて小領域及び／またはその通信区域にサービスを行う固定局を云う。セクター化セルについて、基地局は一般的にセルの全セクターにサービスを行う。ここに述べた伝送技術は未セクター化セルを持つシステムと同様にセクター化セルを持つシステムのために使用される。簡単にするために、次の記述では、術語「基地局」はセルにサービスを行う固定局と同様にセクターにサービスを行う固定局について伝統的に使用される。
【００２２】
端末１２０は一般的にシステムの至る所に分散され、そして各端末は固定または移動可能である。端末はまた移動局、ユーザー装置、または他の用語で云うこともある。端末は携帯電話、携帯情報機器（ＰＤＡ）、無線デバイス、携帯用デバイス、無線モデム等である。端末はゼロ、一つ、または多数の基地局といずれかの或る時に順方向及び／または逆方向回線上で通信を行う。順方向回線（或いは下り回線）は基地局から端末への通信回線を云い、逆方向回線（或いは上り回線）は端末から基地局への通信回線を云う。
【００２３】
システム制御器１３０は基地局１１０に接続され、これらの基地局に対する配位及び制御を行う。システム制御器１３０は単一ネットワーク実体またはネットワーク実体の集合である。
【００２４】
ここに述べた伝送技術はＣＤＭＡ、ＴＤＭＡ、ＦＤＭＡ及びＯＦＤＭＡシステムといった様々な無線通信システムに使用される。ＣＤＭＡシステムはｃｄｍａ２０００、広帯域ＣＤＭＡ、等といった一以上の無線技術を実施する。ｃｄｍａ２０００はＩＳ-２０００、ＩＳ-８５６、ＩＳ-９５、及び他の規格を含む。ＴＤＭＡシステムは汎欧州ディジタル・セルラー・システム（ＧＳＭ（登録商標））といった無線技術を実施する。これらの様々な無線技術及び規格は当技術分野では既知である。Ｗ-ＣＤＭＡ及びＧＳＭ（登録商標）は第三世代共同プロジェクト（３ＧＰＰ）という名の連合の文書に記載され、ｃｄｍａ２０００は第三世代共同プロジェクト２（３ＧＰＰ２）という名の連合の文書に記載されている。３ＧＰＰ及び３ＧＰＰ２文書は公に利用可能である。明確にするために、伝送技術は下記においてはｃｄｍａ２０００について記述され、それは「ＣＤＭＡ １ｘ-ＥＶＤＶ」、「ＣＤＭＡ １ｘ」、「ＣＤＭＡ １ｘ-ＥＶＤＯ」及び／または「１ｘ」システムである。
【００２５】
ｃｄｍａ２０００は順方向及び逆方向回線上のデータ伝送に対応する様々なデータ及び制御チャネルを定義する。表１は順方向及び逆方向回線のデータ及び制御チャネルの一覧表を示し、各チャネルに関する簡単な説明を提供する。ここの説明では、接頭詞「Ｆ-」は順方向回線のチャネルを表し、接頭詞「Ｒ-」は逆方向回線のチャネルを表す。それらのチャネルはＴＩＡ／ＥＩＡ ＩＳ-２０００．２ ｃｄｍａ２０００スペクトル拡散システムの物理層規格、版Ｄ（以下、ＴＩＡ／ＥＩＡＩＳ-２０００．２）及びＴＩＡ／ＥＩＡ ＩＳ-２０００．３ ｃｄｍａ２０００スペクトル拡散システムの中間アクセス制御（Medium Access Control：ＭＡＣ）規格、版Ｄ（以下、ＴＩＡ／ＥＩＡＩＳ-２０００．３）に詳述され、両方とも２００４年に電気通信工業協会（Telecommunications Industry Association）から公開され、利用可能である。ｃｄｍａ２０００改訂版ＤはＩＳ-２０００改訂版Ｄ、または単に「Ｒｅｖ  Ｄ」と呼ばれる。データ及び制御チャネルはまたｃｄｍａ２０００に関する他の規格文書にも記載されている。
【表１】
2011125000.tif 000003
【００２６】
一般に、Ｆ-ＰＤＣＨ、Ｆ-ＰＤＣＣＨ、Ｒ-ＡＣＫＣＨ及びＲ-ＣＱＩＣＨは順方向回線上のデータ伝送のために使用される。Ｒ-ＰＤＣＨ、Ｒ-ＲＥＱＣＨ、Ｒ-ＰＩＣＨ、Ｆ-ＡＣＫＣＨ及びＦ-ＧＣＨは逆方向回線上のデータ伝送のために使用される。一般に、各チャネルは制御情報、データ、パイロット、他の伝送、またはそのいずれかの組合せを搬送する。
【００２７】
図２はｃｄｍａ２０００における順方向回線上の典型的なデータ伝送を示す。基地局は端末に送るデータ・パケットを有する。基地局は符号化パケットを生成するために各データ・パケットを処理し、さらに符号化パケットを多数のサブパケットに分割する。各サブパケットは端末が好ましいチャネル条件の下でパケットを復号して再生することを可能にするのに十分な情報を含む。
【００２８】
基地局は時間Ｔ１で始まる二つのスロットにおいてパケットＡの最初のサブパケットＡ１をＦ-ＰＤＣＨ上で伝送する。スロットはｃｄｍａ２０００では１．２５ミリ秒（ｍｓ）の期間を有する。基地局はまたＦ-ＰＤＣＨ上の伝送が端末向けであることを示す２-スロット・メッセージをＦ-ＰＤＣＣＨ上で伝送する。端末はサブパケットＡ１を受取り、且つ復号し、パケットＡが誤って復号されたことを判定し、そして否定応答（ＮＡＫ）を時間Ｔ２にＲ-ＡＣＫＣＨ上で伝送する。この例では、ＡＣＫ遅延は１スロットである。基地局は時間Ｔ３で始まる四つのスロットにおいてパケットＢの最初のサブパケットＢ１をＦ-ＰＤＣＨ上で伝送する。基地局はまたＦ-ＰＤＣＨ上の伝送が端末向けであることを示す４-スロット・メッセージをＦ-ＰＤＣＣＨ上で伝送する。端末はサブパケットＡ１を受取り、且つ復号し、パケットＡが正しく復号されたことを判定し、そして受信通知（ＡＣＫ）を時間Ｔ４にＲ-ＡＣＫＣＨ上で伝送する。基地局は時間Ｔ５で始まる一つのスロットにおいてパケットＡの第二のサブパケットＡ２をＦ-ＰＤＣＨ上で伝送する。端末はサブパケットＡ２を受取り、サブパケットＡ１及びＡ２を復号し、パケットＡが誤って復号されたことを判定し、そして否定応答（ＮＡＫ）を時間Ｔ６にＲ-ＡＣＫＣＨ上で伝送する。
【００２９】
端末はまたデータを端末に場合によって伝送することができる基地局のチャネル品質を定期的に測定する。下記で述べるように、端末は最良の基地局を識別し、そして完全且つ差分（Ｄｉｆｆ）品質指標（ＣＱＩ）通報をＲ-ＣＱＩＣＨ上で送る。ＣＱＩ通報はデータ伝送に適したデータ速度と同様にデータを端末に送るために最適な基地局を選択するために使用される。
【００３０】
ｃｄｍａ２０００では、基地局は１．２２８８メガチップ／秒（Ｍｃｐｓ）の割合（速度）で疑似乱数（ＰＮ）系列によってデータをスペクトル拡散する。基地局は拡散データによってキャリア信号を変調し、そして１．２２８８ＭＨｚの帯域幅を持つ無線周波数（ＲＦ）変調された信号を生成する。そして、基地局はＲＦ変調信号を特定の中心周波数により順方向回線上で伝送する。単一キャリアがデータによって変調されるので、これは単一キャリアＣＤＭＡと云われる。順方向回線の容量は１．２２８８ＭＨｚのＲＦ変調信号で確実に送られるデータ・ビットの数によって決定される。逆方向回線上で、端末はまた１．２２８８ＭＨｚでＰＮ系列によってスペクトル拡散され、そして拡散データを特定のキャリア周波数で伝送する。逆方向回線の容量は端末に割当られたデータ・チャネル上で確実に送られるデータ・ビットの数によって決定される。
【００３１】
ある形態では、多元キャリアがその回線上で大幅な容量改善を達成するために回線上で利用される。実施例では、１．２２８８Ｍｃｐｓのチップ速度が各々の多元キャリアについて使用され、それは単一キャリアＣＤＭＡについて使用されるのと同じチップ速度である。これは単一キャリアＣＤＭＡのために設計されたハードウェアがマルチキャリアＣＤＭＡにも対応することを可能にする。
【００３２】
図３はマルチキャリア構造３００の実施例の図を示す。この実施例では、Ｋキャリアが順方向回線上で利用可能であり、そしてＭキャリアが逆方向回線上で利用可能である（Ｋ＞１及びＭ≧１）。順方向回線（ＦＬ）キャリアは順方向回線上のキャリアであり、そして逆方向回線（ＲＬ）キャリアは逆方向回線上のキャリアである。キャリアはまたＲＦチャネル、ＣＤＭＡチャネル、等々と云われる。Ｋ ＲＬキャリア及びＭ ＲＬキャリアはＧ群に配列される（Ｇ≧１）。一般に、ある数のキャリア群が形成され、そして各群はある数のＦＬキャリア及びある数のＲＬキャリアを含む。
【００３３】
図３に示した実施例では、各群は少なくとも一つのＦＬキャリア及び一つのＲＬキャリアを含み、従ってＧ＝Ｍ及びＫ≧Ｍである。図３に示したように、キャリア群１は１からＮ１までのＦＬキャリア及びＲＬキャリア１を含み、キャリア群２はＮ１＋１からＮ１＋Ｎ２までのＦＬキャリア及びＲＬキャリア２を含み、等々、そしてキャリア群ＭはＫ−ＮＭ＋１からＫまでのＦＬキャリア及びＲＬキャリアＭを含む。一般にＮ１からＮＭまでは同じか、或いは異なる。実施例では、Ｎｍ≦４（ｍ＝１，・・・，Ｍ）で、最高４つのＦＬキャリアが各キャリア群においてＲＬキャリアと関連する。
【００３４】
マルチキャリア構造３００は様々なシステム構成に対応する。多元ＦＬキャリア及び多元ＲＬキャリアを持つ構成は順方向及び逆方向回線の両方における高速データ伝送のために使用される。多元ＦＬキャリア及び単一ＲＬキャリアを持つ構成は順方向回線上の高速データ伝送のために使用される。単一ＦＬキャリア及び多元ＲＬキャリアを持つ構成は逆方向回線上の高速データ伝送のために使用される。適切な構成は利用可能なシステム資源、データ要求、チャネル条件、等々といった様々な要素に基づいて端末のために選択される。
【００３５】
実施例では、ＦＬ及びＲＬキャリアは異なる意味を持っている。各群について、その群における一つの（例えば、最初の）ＦＬキャリアは群の主要ＦＬ（group FL primary）キャリアとして指定され、残りのＦＬキャリアは（もしあれば）群の補助ＦＬ（group FL auxiliary ) キャリアとして指定される。Ｋ ＦＬキャリアの中の一つの（例えば、最初の）ＦＬキャリアは主要ＦＬキャリアとして指定される。同様に、Ｍ ＲＬキャリアの中の一つの（例えば、最初の）ＲＬキャリア主要ＲＬキャリアとして指定される。
【００３６】
端末はある数のＦＬキャリアを割当てられ、その一つはその端末の主要ＦＬキャリアとして指定される。端末はまたある数のＲＬキャリアを割当てられ、その一つはその端末の主要ＲＬキャリアとして指定される ) 。別の端末はＦＬ及びＲＬキャリアの別の集合を割当てられる。さらに、或る端末は上で述べたような様々な要素に基づいて時間によってＦＬ及びＲＬキャリアの別の集合を割当てられる。
【００３７】
実施例では、端末は次の機能に対して主要ＦＬ及びＲＬキャリアを使用する：
●主要ＲＬキャリア上で呼出を発信する、
●主要ＲＬキャリア上での呼出設定の間、信号通信を受信する、
●主要ＲＬキャリア上で層３信号通信ハンドオフ手続きを行う、
●主要ＲＬキャリアに基づくＦＬ伝送のためのサービス基地局を選択する。
【００３８】
実施例では、各キャリア群における群の主要ＦＬキャリアはその群のＲＬキャリアを制御する。群の主要ＦＬキャリアは次の機能のために使用される：
●Ｒ-ＰＩＣＨに関する電力制御（情報）を送る、
●Ｒ-ＰＤＣＨに関する速度制御（情報）を送る、
●逆方向回線伝送に関する受信通知を（Ｆ-ＡＣＫＣＨ上で）送る、
●ＭＡＣ制御メッセージを（Ｆ-ＰＤＣＣＨ上で）端末に送る、
●順方向認証メッセージを（Ｆ-ＧＣＨ上で）端末に送る。
【００３９】
ｃｄｍａ２０００改訂Ｄにおけるデータ及び制御チャネルは単一キャリア上のデータ伝送のために設計されている。いくつかの制御チャネルは多元キャリア上でのデータ伝送に対応するために修正される。その修正は、（１）修正制御チャネルはｃｄｍａ２０００改訂Ｄにおける制御チャネルと上位互換性があり、（２）新しい変更は、例えば、ソフトウェア及び／またはファームウェアにおいて容易に実施され、それはハードウェア設計に対する影響を軽減する。
【００４０】
基地局はデータをある数のキャリア群におけるある数のＦＬキャリア上の順方向回線上で端末へ伝送する。実施例では、各群におけるＲＬキャリアはその群における全てのＦＬキャリアに対応するＲ-ＡＣＫＣＨ及びＲ-ＣＱＩＣＨを搬送する。この実施例では、 Ｒ-ＡＣＫＣＨはその群における全てのＦＬキャリアについてＦ-ＰＤＣＨ上で受取られたパケットの受信通知を搬送する。Ｒ-ＣＱＩＣＨはその群における全てのＦＬキャリアについてＣＱＩをフィードバックする。
【００４１】
１． Ｒ-ＡＣＫＣＨ
別の形態において、多元ＦＬキャリア上のデータ伝送に対応する新Ｒ-ＡＣＫＣＨ構造を述べる。図３に示したように、単一ＲＬキャリア上で伝送している間に、端末は或る群における多元ＦＬキャリアを監視している。端末はこれらの多元ＦＬキャリア上で送られた多元Ｆ-ＰＤＣＨ上の多数のパケットを受取る。端末は単一ＲＬキャリア上で送られた単一Ｒ-ＡＣＫＣＨを介してこれらの多数のパケットを認識する。受取られたＦＬキャリアの数に応じて、一つまたは多数のパケットに関する受信通知を搬送する能力をもつＲ-ＡＣＫＣＨが設計される。
【００４２】
図４Ａはｃｄｍａ２０００改訂Ｄにおいて使用されるＲ-ＡＣＫＣＨのブロック図を示す。Ｒ-ＡＣＫＣＨは各１．２５ｍｓフレームにおいて生成され、それは１スロットである。このＲ-ＡＣＫＣＨビットは、（１）パケットが正しく復号されればＡＣＫであり、（２）パケットが誤って復号されればＮＡＫであり、或いは（３）認識すべきパケットがなければ空ビットである。Ｒ-ＡＣＫＣＨビットは２４の同じ変調シンボルを生成するためにシンボル繰返しユニット４１２によって２４回繰り返され、それはさらに処理され、そしてＲ-ＡＣＫＣＨ上で伝送される。
【００４３】
図４Ｂは最高４つのＦＬキャリアに関する最高４つのＲ-ＡＣＫＣＨに対応する新Ｒ-ＡＣＫＣＨ構造４２０の実施例のブロック図を示す。４つのＲ-ＡＣＫＣＨは単一Ｒ-ＡＣＫＣＨの４つのサブチャネルとして考えられ、逆方向受信通知サブチャネル（Ｒ-ＡＣＫＳＣＨ）と呼ばれる。次の記述において、各ＦＬキャリアに関する受信通知チャネルはＲ-ＡＣＫＳＣＨの代わりにＲ-ＡＣＫＣＨと云われる。
【００４４】
図４Ｂは３つのＦＬキャリアに使用される３つのＲ-ＡＣＫＣＨの場合を示し、それはＣＤＭＡチャネル０、１及び２として参照される。各ＣＤＭＡチャネルに関するＲ-ＡＣＫＣＨは信号点写像ユニット（signal point mapping unit）４２２、ウォルシュ被包ユニット（Walsh cover unit）４２４ 、及び繰返しユニット４２６のそれぞれの集合によって実施される。ＣＤＭＡチャネル０、１及び２はＷ04、Ｗ14及びＷ24の４-チップ・ウォルシュ符号を割当てられる。ウォルシュ符号はまたウォルシュ関数またはウォルシュ系列と云われ、そしてＴＩＡ／ＥＩＡ ＩＳ-２０００．２において定義されている。
【００４５】
Ｒ-ＡＣＫＣＨビットは各ＣＤＭＡチャネルの各１．２５ｍｓフレーム（或いは、スロット）において生成される。ＣＤＭＡチャネル０について、信号点写像ユニット４２２ａはＲ-ＡＣＫＣＨビットがＡＣＫ、ＮＡＫ、或いは空ビットであるかどうかによってＣＤＭＡチャネル０に関するＲ-ＡＣＫＣＨビットを＋１、−１、或いは０にそれぞれ写像する。ウォルシュ被包ユニット４２４ａはＣＤＭＡチャネル０に割当てられた４-チップ・ウォルシュ符号Ｗ04によって写像された値を被包する。ウォルシュ被包は４シンボルの系列を生成するために、（１）写像された値を４回繰り返すこと、及び（２）４つの同じ値を４チップのウォルシュ符号Ｗ04と乗算することによって達成される。繰返しユニット４２６ａは４-シンボル系列を６回繰り返し、そしてＣＤＭＡチャネル０について２４シンボルの系列を生成する。ＣＤＭＡチャネル１及び２の処理はＣＤＭＡチャネル０と同様の方法で進行する。
【００４６】
各スロットにおいて、加算器４２８はＣＤＭＡチャネル０、１及び２の繰返しユニット４２６ａ、４２６ｂ及び４２６ｃからの三つの２４-シンボル系列をそれぞれ加算し、そしてスロットに２４の変調シンボルを提供する。これらの変調シンボルはさらに処理され、且つ伝送される。基地局はそのＣＤＭＡチャネルに割当てられたウォルシュ符号によって相補的な逆被包を実行することによって各ＣＤＭＡチャネルに関するＲ-ＡＣＫＣＨを再生することができる。
【００４７】
図４Ｃは最高８つのＲ-ＡＣＫＣＨ、例えば、最高８つのＦＬキャリアに対応することができる新Ｒ-ＡＣＫＣＨ構造４３０の実施例のブロック図を示す。図４Ｃは７つのＲ-ＡＣＫＣＨが７つのＦＬキャリアについて使用される場合を示し、それはＣＤＭＡチャネル０〜６と云われる。各ＣＤＭＡチャネルに関するＲ-ＡＣＫＣＨは信号点写像ユニット４３２、ウォルシュ被包ユニット４３４ 、及び繰返しユニット４３６のそれぞれの集合によって実施される。ＣＤＭＡチャネル０〜６はＷ08〜Ｗ68のウォルシュ符号を割当てられ、 それはＴＩＡ／ＥＩＡ ＩＳ-２０００．２において定義されている。
【００４８】
各ＣＤＭＡチャネルについて、信号点写像ユニット４３２はそのＣＤＭＡチャネルに関するＲ-ＡＣＫＣＨを＋１、−１、或いは０の値へ写像する。ウォルシュ被包ユニット４３４はそのＣＤＭＡチャネルに割当てられた８-チップ・ウォルシュ符号Ｗ04によって写像された値を被包し、８つのシンボルの系列を提供する。繰返しユニット４３６は８-シンボル系列を３回繰り返し、そしてＣＤＭＡチャネルについて２４シンボルの系列を生成する。各スロットにおいて、加算器４３８はＣＤＭＡチャネル０〜６に関する繰返しユニット４３６ａ〜４３６ｇからの三つの２４-シンボル系列をそれぞれ加算し、そしてスロットに２４の変調シンボルを提供する。これらの変調シンボルはさらに処理され、且つ伝送される。
【００４９】
図４Ｂ及び４Ｃは多元Ｒ-ＡＣＫＣＨに対応し、且つ図４Ａに示した現行Ｒ-ＡＣＫＣＨ構造４１０と上位互換性のある典型的なＲ-ＡＣＫＣＨ構造４２０及び４３０を示す。一つのＣＤＭＡチャネルだけが受信されつつあれば、このＣＤＭＡチャネルに関するＲ-ＡＣＫＣＨビットはウォルシュ符号Ｗ04またはＷ08によって処理され、そして他の全てのＣＤＭＡチャネルに関するＲ-ＡＣＫＣＨビットは空ビットに設定される。そして加算器４２８または４３８の出力は図４Ａの繰返しユニット４１２の出力と同一であろう。追加のＣＤＭＡチャネルは他のウォルシュ符号を利用するこれらの追加ＣＤＭＡチャネルに関するＲ-ＡＣＫＣＨビットを送ることによって対応する。繰返し要素はウォルシュ符号長に応じて２４から６または３のいずれかに低減される。
【００５０】
図４Ｂ及び４Ｃに示したＲ-ＡＣＫＣＨ構造は図４Ａに示したＲ-ＡＣＫＣＨ構造のために設計されたハードウェアを使用してＲ-ＡＣＫＣＨビットの再生を可能にする。そのハードウェアは各スロットにおけるＲ-ＡＣＫＣＨについて２４受信シンボルを生成する。ウォルシュ符号によるこれらの２４受信シンボルの逆被包はソフトウェア及び／またはファームウェアにおいて実施され、それらはマルチキャリア動作に対応するため基地局の更新の影響を軽減する。
【００５１】
多元Ｒ-ＡＣＫＣＨはまた他の構造によって実施され、そしてこれは本発明の範囲内にある。例えば、多元Ｒ-ＡＣＫＣＨは時分割多重化され、或るスロットの別の区間で送られる。
【００５２】
２．Ｒ-ＣＱＩＣＨ
さらに別の形態において、 多元ＦＬキャリアに関するＣＱＩフィードバックに対応する新Ｒ-ＣＱＩＣＨ構造を述べる。図３に示したように、単一ＲＬキャリア上で伝送している間に、端末は或る群における多元ＦＬキャリアを監視している。これらの多元ＦＬキャリアは異なるチャネル条件（例えば、異なるフェージング特性）を観測し、そして端末において異なる受信信号品質を得る。システムがデータを送るために適切なＦＬキャリアを各選択ＦＬキャリアに適した速度と同様に選択できるように、端末はできる限り多数の割当ＦＬキャリアにＣＱＩフィードバックを提供することが望ましい。システム構成が単一ＲＬキャリアを含むならば、端末は単一ＲＬキャリアを経由して単一Ｒ-ＣＱＩＣＨ上で全てのＦＬキャリアについてＣＱＩフィードバックを送る。一つまたは多元ＦＬキャリアについてＣＱＩフィードバックを搬送する能力をもつＲ-ＣＱＩＣＨが設計される。
【００５３】
ｃｄｍａ２０００改訂Ｄでは、Ｒ-ＣＱＩＣＨは各１．２５ｍｓフレーム（またはスロット）において二つのモードの一つ、完全モード或いは差分モードで動作する。完全モードにおいては、４-ビット値から成る完全ＣＱＩ通報がＲ-ＣＱＩＣＨ上で送られる。この４-ビットＣＱＩ値は一つのＣＤＭＡチャネルに関する受信信号品質を伝達する。差分モードにおいては、１-ビット値から成る差分ＣＱＩ通報がＲ-ＣＱＩＣＨ上で送られる。この１-ビットＣＱＩ値は一つのＣＤＭＡチャネルに関する現在と前のスロット間の受信信号品質における差分を伝達する。完全及び差分ＣＱＩ通報はＴＩＡ／ＥＩＡ ＩＳ２０００．２に記載のように生成される。
【００５４】
図５Ａはｃｄｍａ２０００改訂Ｄにおいて使用されるＲ-ＣＱＩＣＨ構造のブロック図を示す。４-ビットまたは１-ビットＣＱＩ値は完全或いは差分モードが選択されるか否かに応じて、ＣＤＭＡチャネルについて各１．２５ｍｓフレーム（またはスロット）において生成される。４-ビットＣＱＩ値はまたＣＱＩシンボルと云われる。１-ビットＣＱＩ値はまた差分ＣＱＩと云われる。４-ビットＣＱＩ値は１２シンボルの符号語を生成するためにブロック符号器５１２によって（１２，４）ブロック符号で符号化される。１-ビットＣＱＩ値は１２のシンボルを生成するためにシンボル繰返しユニット５１４によって１２回繰り返される。スイッチ５１６は完全モードのブロック符号器５１２の出力または差分モードの繰返しユニット５１４の出力のいずれかを選択する。
【００５５】
ＣＱＩ通報はその基地局に割当てられたウォルシュ符号で通報を被包することによって特定の基地局に送られる。ウォルシュ被包ユニット５１８は端末にサービスするために選択された基地局に関する３-ビット・ウォルシュ符号を受取り、そして対応する８-チップ・ウォルシュ系列を生成する。ユニット５１８はまた８-チップ・ウォルシュ系列を１２回繰り返し、そして各スロットに９６ウォルシュ・チップを提供する。２を法とする加算器５２０はスイッチ５１６からのシンボルをウォルシュ被包ユニット５１８の出力と加算し、そして各スロットに９６変調シンボルを提供する。ウォルシュ被包ユニット５１８及び加算器５２０はスイッチ５１６からの各シンボルを選択基地局に関する３-ビット・ウォルシュ符号で効率よく被包する。信号点写像ユニット５２２は変調シンボルを＋１または−１の値に写像する。ウォルシュ被包ユニット５２４はユニット５２２からの各写像値をＷ1216のウォルシュ符号で被包し、そして出力シンボルを提供し、それはさらに処理され、Ｒ-ＣＱＩＣＨ上で伝送される。
【００５６】
新Ｒ-ＣＱＩＣＨ構造は一つまたは多元ＦＬキャリアについて完全及び差分モードに対応することができる。実施例では、群中の異なるＦＬキャリアに関する完全ＣＱＩ通報はＴＤＭ方法においては異なるスロットで送られる。実施例では、或るスロットに関する群の全てのＦＬキャリアの差分ＣＱＩ通報は共に符号化され、そして一緒にそのスロットで送られる。差分ＣＱＩ通報の共同符号化（joint encoding）は個々の差分ＣＱＩ通報の個別符号化よりもさらに効率的である。ブロック５１４における繰返しはさらに効率のよい符号化で置換えられる。
【００５７】
図５Ｂは多元ＣＤＭＡチャネルについてＣＱＩフィードバックを提供することができる新Ｒ-ＣＱＩＣＨ構造５３０の実施例のブロック図を示す。この実施例では、一つのＣＤＭＡチャネルに関する４-ビットＣＱＩ値は１２シンボルの符号語を生成するためにブロック符号器５３２によって（１２，４）ブロック符号で符号化される。Ｎ ＣＤＭＡチャネルに関するＮ １-ビットＣＱＩ値は１２シンボルの符号語を生成するためにブロック符号器５３４によって（１２，Ｎ）ブロック符号で共同符号化される。ブロック符号の率（Ｒ）は出力ビットの数に対する入力ビットの数、または（１２，４）ブロック符号についてはＲ＝４／１２、そして（１２，Ｎ）ブロック符号についてはＲ＝Ｎ／１２に等しい。異なる符号化率は異なる冗長度を生成し、そして信頼できる受信について異なる受信信号品質を必要とする。従って、異なる伝送電力量がＣＤＭＡチャネルＮの数に応じてブロック符号器５３４からの符号語について使用される。
【００５８】
スイッチ５３６は完全モードについてはブロック符号器５３２の出力、または差分モードについてはブロック符号器５３４の出力のいずれかを選択する。スイッチ５３６からのシンボルは図５Ａにおけるユニット５１８、５２０、５２２及び５２４についてそれぞれ上で述べたのと同じ方法でウォルシュ被包ユニット５３８、加算器５４０、信号点写像ユニット５４２及びウォルシュ被包ユニット５４４によって処理される。ウォルシュ被包ユニット５４４は出力シンボルを提供し、それはさらに処理され、Ｒ-ＣＱＩＣＨ上で伝送される。
【００５９】
符号器５３４によるブロック符号化は次のように行列形式で表される：
ｙ＝ｕ・Ｇ                                          式（１）
但し、  ｕ＝[ｕ0 ｕ1 ・・・ ｕk-1] は１-ビットＣＱＩ値に関する１×ｋ行ベクトルで、ｕ0 はベクトルuの最初の入力ビットである、
ｙ＝[ｙ0 ｙ1 ・・・ ｙn-1] は符号器出力符号語の１×ｎ行ベクトルで、ｙ0 はベクトルｙの最初の出力ビットである、そして
Gはブロック符号化のためのｋ×ｎ生成行列である。
【００６０】
ブロック符号は一般的にそれらの生成行列に関して指定される。異なるブロック符号は最高７ＣＤＭＡチャネルに対応するために２から７までの異なるＮの値について定義される。Ｎの各値に関するブロック符号は良好な特性を得るように選択され、それは符号語間の最小距離によって定量化される。表２はＮ＝２〜７に関する典型的なブロック符号の表である。表２のブロック符号は線形ブロック符号に関する符号語間の最大可能な最小距離を有する。
【表２】
2011125000.tif 000004
【００６１】
Ｎ＝１に関するブロック符号化は図５Ａにおけるユニット５１４によって行われる１２×ビット繰返しに対応する。表２に示した実施例では、（１２，２）ブロック符号は４×系列繰返しを行った（３，２）ブロック符号から成る。符号器５３４における（１２，４）ブロック符号に関する生成行列は符号器５１２及び５３２における（１２，４）ブロック符号に関する生成行列と同じである。表２における（１２，２）、（１２，３）、（１２，４）、（１２，５）、（１２，６）及び（１２，７）ブロック符号は各々８、６、６、４、４及び４の最小距離を有する。他の生成行列もまた定義され、そして差分ＣＱＩ通報のためのブロック符号に使用される。
【００６２】
図５Ｂは多元ＣＤＭＡに関するＣＱＩ通報に対応し、そして図５Ａに示した現行のＲ-ＣＱＩＣＨ構造と上位互換性のある典型的なＲ-ＣＱＩＣＨ構造５３０を示す。一つのＣＤＭＡチャネルだけが受信されつつあれば、このＣＤＭＡチャネルに関する完全ＣＱＩ通報は（１２，４）ブロック符号によって処理され、差分ＣＱＩ通報は１２×ビット繰返しによって処理され、そしてウォルシュ被包ユニット５４４は図５Ａにおけるウォルシュ被包ユニット５２４の出力と同じであろう。追加のＣＤＭＡチャネルは、（１）異なるスロットにおいてＣＤＭＡチャネルに関する完全ＣＱＩ通報を送ること、及び（２）同じスロットにおいて共同でＣＤＭＡチャネルに関する差分ＣＱＩ通報を送ることによって対応する。
【００６３】
図５Ｂに示したＲ-ＣＱＩＣＨ構造は図５Ａに示したＲ-ＣＱＩＣＨ構造に対して小変更によって多元ＣＤＭＡチャネルに関する完全及び差分ＣＱＩ通報の再生を可能にする。物理層に関するハードウェアは完全ＣＱＩ通報に関するブロック復号を行う。異なるＣＤＭＡチャネルに関する完全ＣＱＩ通報の逆多重化（demultiplexing）は中間アクセス制御（Medium Access Control：ＭＡＣ）層で行われる。差分ＣＱＩ通報に関するブロック復号は物理層もしくはＭＡＣ層で行われる。
【００６４】
多元ＣＤＭＡチャネルに関するＲ-ＣＱＩＣＨはまた他の構造によって実施され、そしてこれは本発明の範囲内にある。例えば、多元ＣＤＭＡチャネルに関する完全ＣＱＩ通報はブロック符号化され、そして同じスロットで送られる。別の例として、ＣＤＭＡチャネルの部分集合に関する差分ＣＱＩ通報はスロットで送られる。
【００６５】
図３に示したように、端末はＦＬ及びＲＬキャリアの多数の群を割当てられる。各キャリア群について、図５Ｂについて上述したように、群中のＲＬキャリア上で送られるＲ-ＣＱＩＣＨは群中のＦＬキャリアに関するＣＱＩ通報を搬送する。ＣＱＩ通報は様々な方法で送られる。
【００６６】
図６Ａないし図６ＥはＲ-ＣＱＩＣＨ上のいくつかの典型的な伝送を示す。これらの図において、完全ＣＱＩ通報は高い箱によって表され、差分ＣＱＩ通報は短い箱によって表される。箱の高さはＣＱＩ通報を送るために使用される伝送電力の量を大ざっぱに示す。各箱の中の数はその箱の中で送られるＣＱＩ通報によって通報されつつあるＦＬキャリアを示す。
【００６７】
図６ＡはＲ-ＣＱＩＣＨ上の二つのＦＬキャリア１及び２に関する完全及び差分ＣＱＩ通報の伝送を示す。この例では、ＦＬキャリア１に関する完全ＣＱＩ通報が１スロットで送られ、それからＦＬキャリア１及び２に関する差分ＣＱＩ通報がいくつかの数のスロットで送られ、それからＦＬキャリア２に関する完全ＣＱＩ通報が１スロットで送られ、それからＦＬキャリア１及び２に関する差分ＣＱＩ通報がいくつかの数のスロットで送られ、それからＦＬキャリア１に関する完全ＣＱＩ通報が１スロットで送られる、等々。一般に、各ＦＬキャリアに関する完全ＣＱＩ通報はいずれかの速度（rate）で送られ、同じか、もしくは異なる通報速度がＦＬキャリアについて使用される。実施例では、完全ＣＱＩ通報は各２０ｍｓの一つの（例えば、最初の）スロットで送られ、そして差分ＣＱＩ通報はフレーム中の１５の残りスロットで送られる。ＦＬキャリア１及び２に関する完全ＣＱＩ通報は図６Ａに示したように交互に入替わり、 或いは他の方法で多重化される。
【００６８】
図６ＢはＲ-ＣＱＩＣＨ上の二つのＦＬキャリア１及び２に関する完全ＣＱＩ通報の伝送を示す。この例では、ＦＬキャリア１に関する完全ＣＱＩ通報が１スロットで送られ、それからＦＬキャリア２に関する完全ＣＱＩ通報が次のスロットで送られ、それからＦＬキャリア１に関する完全1ＣＱＩ通報がその次のスロットで送られる、等々。
【００６９】
図６Ｃは２の繰返し要素、またはＲＥＰ＝２によるＲ-ＣＱＩＣＨ上の三つのＦＬキャリア１、２及び３に関する完全及び差分ＣＱＩ通報の伝送を示す。この例では、ＦＬキャリア１に関する完全ＣＱＩ通報が２０ｍｓフレームの最初の２スロットで送られ、それからＦＬキャリア１、２及び３に関する差分ＣＱＩ通報がそのフレームの残りの各スロットで送られ、それからＦＬキャリア２に関する完全ＣＱＩ通報が次の２０ｍｓフレームの最初の２スロットで送られ、それからＦＬキャリア１、２及び３に関する差分ＣＱＩ通報がそのフレームの残りの各スロットで送られ、それからＦＬキャリア３に関する完全ＣＱＩ通報がその次の２０ｍｓフレームの最初の２スロットで送られ、それからＦＬキャリア１、２及び３に関する差分ＣＱＩ通報がそのフレームの残りの各スロットで送られ、それからそれからＦＬキャリア２に関する完全ＣＱＩ通報が次の２０ｍｓフレームの最初の２スロットで送られる、等々。差分ＣＱＩ通報は完全ＣＱＩ通報と同様に二つの連続スロットで送られか、または単一スロットで送られる。
【００７０】
図６Ｄは２の繰返し要素による三つのＲ-ＣＱＩＣＨ上の三つのＦＬキャリア１、２及び３に関する完全ＣＱＩ通報の伝送を示す。この例では、ＦＬキャリア１に関する完全ＣＱＩ通報が２スロットで送られ、それからＦＬキャリア２に関する完全ＣＱＩ通報が次の２スロットで送られ、それからＦＬキャリア３に関する完全ＣＱＩ通報がその次の２スロットで送られ、それからＦＬキャリア３に関する完全ＣＱＩ通報が次の２スロットで送られる、等々。
【００７１】
図６Ｅは２の繰返し要素及び二つのスイッチ・スロットによる三つのＲ-ＣＱＩＣＨ上の三つのＦＬキャリア１、２及び３に関する完全ＣＱＩ通報の伝送を示す。この例では、ＦＬキャリア１、２及び３に関する完全ＣＱＩ通報は図６Ｄの上述の方法で送られる。しかしながら、２０ｍｓフレームにおける最後の４つのスロットはスイッチ・スロット・パターン（図６Ｅでは「ｓ」で表される）を送るために使用され、それは新しいサービス基地局に切替えるメッセージである。
【００７２】
図６Ａ〜図６Ｅに示したように、全てのＦＬキャリアに関する完全ＣＱＩ通報の時分割多重化は群中のＦＬキャリアの数が増加するにつれて或るＦＬキャリアに関する完全ＣＱＩ通報の通報速度の低下をもたらす。例えば、群が７つのＦＬキャリアを含んでおれば、完全ＣＱＩ通報は各ＦＬキャリアについて７×２０ｍｓ＝１４０ｍｓごとに一度の割合で送られる。全てのＦＬキャリアに関する差分ＣＱＩ通報の共同符号化は群中のＦＬキャリアの数に無関係で、且つ影響されない完全ＣＱＩ通報の通報速度をもたらす。新しいセルに切替えるとき、スイッチ・スロット・パターンは完全ＣＱＩ通報を「破壊させる（puncture）」か、または置換える。この破壊は全てのＦＬキャリアに一様に影響するとは限らない。図６Ｅに示した例では、スイッチ・スロット・パターンはＦＬキャリア１及び２には影響するが、ＦＬキャリア３には影響しない。
【００７３】
実施例では、端末は順方向回線上のデータ伝送のために一つの基地局を選択する。この一つの基地局は主要ＦＬキャリア、全割当ＦＬキャリア、または、割当ＦＬキャリアの部分集合について端末で測定された受信信号品質に基づいて選択される。全てのＲＬキャリアに関するＲ-ＣＱＩＣＨは選択された基地局のためにウォルシュ被包を使用し、従って同じセルを指し示す。単一基地局の選択は順方向回線上の異常（out-of-order）伝送、及び無線回線プロトコル（Radio Link Protocol：ＲＬＰ）へのその潜在的な影響を回避する。順方向では、ＲＬＰフレームは一般的に基地局制御器（Base Station Controller：ＢＳＣ）で一纏めにされ、その後端末への伝送のために基地局に送られる。従って、ＲＬＰフレームの異常伝送は単一基地局から伝送することによって回避される。
【００７４】
別の実施例では、端末は順方向回線上のデータ伝送のために多元基地局を選択する。上で述べたように、フェージング特性は異なるＦＬキャリアでは異なるので、この実施例は端末が各ＦＬキャリアまたは各群のＦＬキャリアに適した基地局を選択することを可能にし、それは全体の処理能力を改善する。
【００７５】
３．Ｒ-ＰＩＣＨ
順方向回線上のデータ伝送のために逆方向回線のオーバーヘッドを減少させることが望ましい。これは多元ＦＬキャリア及び単一ＲＬキャリアから成る一つのキャリア群をもつ端末を割当てることによって達成される。データは多元ＦＬキャリア上で送られ、そして受信通知及びＣＱＩフィードバックは単一ＲＬキャリア上で効率よく送られる。
【００７６】
ある場合には多元ＲＬキャリアが利用される。例えば、基地局は上で述べた新しいＲ-ＡＣＫＣＨ及びＲ-ＣＱＩＣＨ構造に対応しない。この場合には、各ＦＬキャリアはそのＦＬキャリアについてＲ-ＡＣＫＣＨ及びＲ-ＣＱＩＣＨ構造に対応する一つのＲＬキャリアと関連する。
【００７７】
ｃｄｍａ２０００改訂Ｄでは、端末は基地局が逆方向回線伝送を検出するのを援助するためにパイロットをＲ-ＰＩＣＨ上で伝送する。単一ＲＬキャリアが割当てられれば、パイロット・オーバーヘッドはこのＲＬキャリアと関連する全てのＦＬキャリアの間で共有される。しかしながら、多元ＲＬキャリアが割当てられれ、且つＲ-ＰＩＣＨがＲ-ＡＣＫＣＨ及びＲ-ＣＱＩＣＨに対応する各ＲＬキャリア上で送られるならば、パイロット・オーバーヘッドは逆方向回線上のそのような低データ速度にとって重要である。パイロット・オーバーヘッドの低減は制御保留モードを使用することによって達成される。
【００７８】
図７はＲ-ＰＩＣＨ上の完全パイロット及びゲートされたパイロットの伝送を示す。完全パイロットは各スロットにおけるパイロット伝送であり、そしてパイロット・ゲート率１として参照される。ｃｄｍａ２０００改訂Ｄにおいて定義された制御保留モード（または単にＲｅｖ Ｄ制御保留モード）は１／２及び１／４のパイロット・ゲート率に対応する。図７に示したように、ゲートされたパイロットはいくつかのスロット、または特に１／２のパイロット・ゲート率の他のスロット毎及び１／４のパイロット・ゲート率の４スロット毎におけるパイロット伝送である。
【００７９】
ｃｄｍａ２０００改訂Ｄでは、一般的に制御保留タイマーの満了の後、基地局は層３メッセージを送ることによって端末を制御保留モードに設定する。例えば、基地局が特定の時間期間に端末からいずれのデータも受取らず、端末へいずれのデータも送らなければ、基地局は端末を制御保留モードに設定するために層３メッセージを端末へ送る。基地局か端末のいずれかにおける新しいデータの到着は制御保留モードからの移行を始動する。新しいデータが端末に到着すれば、端末は制御保留モードから自発的に移行し、そして逆方向回線上でデータと共に完全パイロットの伝送を開始する。基地局は端末によって制御保留モードからの移行を検出し、そして完全パイロットと共に送られたデータを復号する。新しいデータが基地局に到着すれば、基地局はＦ-ＰＤＣＣＨ上でＭＡＣメッセージを送ることによって端末を初めて呼起こす。制御保留モードの間、端末は電力を節約するためにＦ-ＰＤＣＨを処理しない。
【００８０】
多くのアプリケーションは非対称データ・トラヒックと見なされ、そして多元ＦＬキャリア上の多元Ｆ-ＰＤＣＨはこれらのアプリケーションのために望ましい。その結果、多元逆方向パイロットは多元Ｆ-ＰＤＣＨに対応するために多元ＲＬキャリア上で送られる必要がある。逆方向パイロットの他に、補助ＲＬキャリア上のトラヒックはＲ-ＣＱＩＣＨ上のＣＱＩ通報及びＲ-ＡＣＫＣＨ上の受信通知のみから成る。そのようなシナリオでは、制御保留モードの使用は補助ＲＬキャリア上の逆方向回線オーバーヘッドを著しく低減させる。
【００８１】
しかしながら、Ｒｅｖ Ｄ制御保留モードは次の理由のために補助ＲＬキャリアに直接適用できない。第一に、端末はＲｅｖ Ｄ制御保留モードの間Ｆ-ＰＤＣＨを復号しない。第二に、端末はＲ-ＡＣＫＣＨ上の伝送の前にＲｅｖ Ｄ制御保留モードから移行することを要求され、そして基地局からの層３メッセージは制御保留モードに端末を突き戻すことを必要とされる。端末がＲ-ＡＣＫＣＨ上で伝送するたびに層３メッセージを送らなければならないことは好ましくない。さらに、制御保留タイマーが満了した後（それは一般的に数百ミリ秒程度である）、基地局は層３メッセージを送るので、完全パイロットはこの時間の間に逆方向回線上で送られる。
【００８２】
さらに別の形態では、「補助（auxiliary）」制御保留モードが補助ＲＬキャリア上の使用のために定義される。実施例では、補助制御保留モードは次の方法においてＲｅｖ Ｄ制御保留モードと異なる：
●端末は補助制御保留モードの間Ｆ-ＰＤＣＨを処理することができる、
●端末は補助制御保留モードから移行しないでＲ-ＡＣＫＣＨ上で受信通知を伝送することができる、
●Ｆ-ＰＤＣＨが旨く復号されれば、端末は自発的にＲ-ＡＣＫＣＨ上の受信通知と共に完全パイロットを伝送することができる、そして
●端末はＲ-ＡＣＫＣＨ伝送の完了後、パイロット・ゲートを再開することができる。
【００８３】
補助制御保留モードはまた別の、及び／または追加の特徴によって定義される。
【００８４】
逆方向回線上のパイロット・オーバーヘッドを低減するために、Ｒｅｖ Ｄ制御保留モードは主要ＲＬキャリア上で使用され、そして補助制御保留モードは各補助ＲＬキャリア上で使用される。二種類の制御保留モードはマルチキャリア動作について多元ＲＬキャリアの効率的な動作に対応することができる。
【００８５】
実施例では、制御保留モードは各ＲＬキャリアについて別々に定義される。次のシナリオが可能である：
●主要ＲＬキャリアは稼働モードにあり、そしてある数の補助ＲＬキャリアは制御保留モードにある。端末は補助ＲＬキャリアに関するＦ-ＰＤＣＨを処理することができ、そして制御保留モードから出ることなくＲ-ＡＣＫＣＨで伝送することができる。
【００８６】
●全てのＲＬキャリアは制御保留モードにある。端末はＦ-ＰＤＣＨを処理せず、そして制御保留モードから出ることなくＲ-ＡＣＫＣＨで伝送しない。これは電力節約モードである。
【００８７】
４．Ｒ-ＲＥＱＣＨ
端末は様々な形式のＲ-ＲＥＱＣＨに関する情報を基地局に送る。ｃｄｍａ２０００改訂ＤにおけるＲ-ＲＥＱＣＨメッセージを送るための始動はまたマルチキャリア動作に関するＲ-ＲＥＱＣＨメッセージを送るための始動として使用される。実施例では、端末はサービス関連情報を基地局に伝えるためにＲ-ＲＥＱＣＨメッセージを主要ＲＬキャリアに送る。一つのバッファが全てのＲＬキャリア上のデータ伝送のサービスごとに保持される。サービス関連情報はバッファサイズ及び透入れ交差（watermark crossing）を含む。実施例では、端末はこれらのＲＬキャリアに関する電力限界（power headroom）を伝達するためにＲ-ＲＥＱＣＨメッセージを主要及び補助ＲＬキャリア両方の上で送る。各ＲＬキャリアに関する電力通報始動はそのＲＬキャリアに関する電力限界を伝達するＲ-ＲＥＱＣＨメッセージを送るために使用される。
【００８８】
５．予定計画
順方向及び逆方向回線上のデータ伝送に関する端末の予定計画（scheduling）は様々な方法で行われる。予定計画は多元キャリアに集中され、もしくは各キャリアに分配される。実施例では、集中スケジューラは多元キャリアに亘るデータ伝送のために端末を予定計画する。集中スケジューラは処理能力を改善するために全てのキャリアに亘ってＣＱＩ情報を配備し、且つ／または所望のサービス品質（ＱｏＳ）を提供することができる柔軟な予定計画アルゴリズムに対応する。別の実施例では、分配スケジューラは各キャリアに提供され、そしてそのキャリア上の端末を予定計画する。異なるキャリアに関する分配スケジューラは相互に無関係に動作し、そしてｃｄｍａ２０００改訂Ｄに関する現存の予定計画アルゴリズムを再使用する。
【００８９】
端末は基地局における単一チャネル・カードまたは多元チャネル・カードに対応する多元キャリアを割当てられる。多元ＦＬキャリアが異なるチャネル・カードによって扱われるならば、チャネル・カード通信遅延があり、それは数ミリ秒程度である。この遅延が小さいとしても、それは一般的に１．２５ｍｓより大きく、 それはＲ-ＡＣＫＣＨを復号するための、及び好しくはまたＲ-ＣＱＩＣＨを復号するための、及びＦ-ＰＤＣＨ上で新しい伝送を予定計画するための時間である。
【００９０】
多元チャネル・カードが異なるＦＬキャリアのために利用されれば、集中スケジューラはさらなる予定計画遅延を被る。このさらなる遅延は二つの要素から成る。第一の要素は逆方向回線復号を扱っているチャネル・カードから集中スケジューラへのＣＱＩフィードバックを伝搬するためのＲ-ＣＱＩＣＨ遅延である。第二の要素は選択された符号器パケットがＦＰＤＣＨ伝送を扱っているチャネル・カードに到達するための遅延である。追加の遅延はシステム処理能力に影響するが、その影響は比較的狭い範囲の速度及びチャネル・モデルに限定される。
【００９１】
分配スケジューラは、例えば、逆方向回線復号及び順方向回線伝送が単一チャネル・カードによって扱われるならば、集中スケジューラについて上で述べた遅延をさらに被ることはない。キャリア群に補助ＦＬキャリアがなければ、これは実現可能である。しかしながら、分配スケジューラが各チャネル・カード上で実施されれば、データがスケジューラによって共同配置できるように個別のバッファは各チャネル・カードについて保持される。このカード・バッファは小さく、そして大きなバッファは基地局のどこか別の場所で配置される。分配スケジューラはトラヒックを予定計画するために手持ちの十分なデータを持たなければならない。大きなバッファから余分のデータを取得するための遅延は数ミリ秒程度である。カード・バッファの大きさ（size）はバッファ・アンダフローを回避するために最大可能な無線（over-the-air）データ速度を考慮しなければならない。チャネル・カードのバッファが比較的小さくても、端末において異常（out-of-order）ＲＬＰフレーム受信の大きな可能性がある。従って、長い検出窓がＲＬＰフレームのために使用される。従来の初期のＮＡＫの技術は役に立たない。なぜならば、トラヒックが最初の伝送においてさえも異常であるかもしれないという事実をそれらは説明しないからである。ＲＬＰにおける長い遅延検出窓はＴＣＰに対して大きな影響を持つ。多元ＲＬＰインスタンスは、例えば、ＦＰＤＣＨ当たり一つ使用されるが、ＴＣＰセグメントの異常到着を造り出す。
【００９２】
ＲＬＰフレームは一般にＢＳＣにおいて一纏めにされ、そしてＭＵＸオーバーヘッドを付加される。ＭＵＸオーバーヘッドを含む各ＲＬＰフレームはｃｄｍａ２０００において３８４ビットを含み、そして１２ビット系列番号によって識別される。ｃｄｍａ２０００ ＲＬＰヘッダーはＲＬＰフレーム系列番号に１２ビットを割当て、それは 端末においてＲＬＰフレームを再構築するために使用される。そのような小さなＲＬＰフレーム・サイズを考えると、その系列空間はマルチキャリア構成において達成可能なような高速度では不十分である。現存のＲＬＰによって高データ速度に対応するために、セグメント化ＲＬＰフレームについて使用される系列空間の追加１２ビットが再使用されるようにＲＬＰフレームは予めセグメント化される。ＲＬＰフレームは一纏めされる必要がないので、系列空間は逆方向回線上の問題ではない。
【００９３】
マルチキャリア動作に関する呼出設定は次のように実施される。端末は順方向同期チャネル（Forward Sync Channel：Ｆ-ＳＹＮＣＨ）からシステム情報を獲得し、そして主要ＦＬキャリア上で送られた順方向ページング・チャネル（Forward Paging Channel：Ｆ-ＰＣＨ）または順方向同報制御チャネル（Forward Broadcast Control Channel：Ｆ-ＢＣＣＨ）からオーバーヘッド・メッセージを取得する。そして端末は主要ＲＬキャリア上で呼出を発信する。基地局は主要ＦＬキャリア上で送られた拡張チャネル割当メッセージ（Extended Channel Assignment Message：ＥＣＡＭ）を介してトラヒック・チャネルを端末へ割当てる。端末はトラヒック・チャネルを獲得し、そしてトラヒック・チャネルの移動局制御（Mobile Station Control on the Traffic Channel）状態に移行し、 それはｃｄｍａ２０００における移動局動作状態の一つである。実施例では、その動作状態は主要キャリアのみについて定義される。その後、基地局は多元ＦＬ及びＲＬキャリアを、例えば、汎用ハンドオフ指令メッセージ（Universal Handoff Direction Message：ＵＨＤＭ）を介して割当てる。新しいキャリア上でトラヒック・チャネルを初期化しているとき、基地局はＵＨＤＭを送った後で順方向共通電力制御チャネル上で命令（コマンド）の伝送を開始する。端末はＵＨＤＭを受取るとＲ-ＰＩＣＨの伝送を開始する。端末はＦ-ＣＰＣＣＨの獲得を知らせるためにｃｄｍａ２０００層３プロトコル・メッセージであるハンドオフ完了メッセージを主要ＲＬキャリア上で基地局に送る。
【００９４】
６．流れ（フロー）及びシステム
図８はマルチキャリア動作について端末によって行われる処理８００の実施例を示す。その端末は多元順方向回線（ＦＬ）キャリア及び少なくとも一つの逆方向回線（ＲＬ）キャリアの割当を受取る（ブロック８１２）。端末は一以上の多元ＦＬキャリア上でデータ伝送を受取る（ブロック８１４）。端末は各ＦＬキャリアに関する受信データ伝送を別々に復調し、且つ復号する（ブロック８１６）。端末はまたデータを少なくとも一つのＲＬキャリア上で伝送する（ブロック８１８）。端末はシステム資源の有用性、送るべきデータの量、チャネル条件、等々といった様々な要素に基づいて順方向及び／または逆方向回線上のデータ伝送について予定計画される。
【００９５】
端末は指定されたＲＬ信号通信を少なくとも一つのＲＬキャリアの中から指定される主要ＲＬキャリア上で送る（ブロック８２０）。その端末は指定されたＦＬ信号通信を多元ＦＬキャリアの中から指定される主要ＦＬキャリア上で受取る（ブロック８２２）。例えば、端末は呼出を主要ＲＬキャリア上で発信し、そして呼出設定に関する信号通信を主要ＦＬキャリア上で受取る。端末は主要ＦＬキャリアに関する受信信号品質に基づいて順方向回線上のデータ伝送のために基地局を選択する。
【００９６】
多元ＦＬキャリア及び少なくとも一つのＲＬキャリアは少なくとも一つの群に配置される。図３に示したように、各群は少なくとも一つのＦＬキャリア及び一つのＲＬキャリアを含む。端末はパケットを各群におけるＦＬキャリア上で受取り、そして受信パケットの受信通知をその群におけるＲＬキャリアを経由して送る。端末は各群におけるＦＬキャリアに関するＣＱＩ通報をその群におけるＲＬキャリアを経由して送る。各群における一つのＦＬキャリアは群の主要ＦＬキャリアとして指定される。端末は各群におけるＲＬキャリアに関する信号通信を群の主要ＦＬキャリアを経由して受取る。
【００９７】
図９は受信通知を送るための処理９００の実施例を示す。端末は多元順方向回線（ＦＬ）キャリアを経由して送られた多元データ・チャネル（例えば、Ｆ-ＰＤＣＨ）上でパケットを受取る（ブロック９１２）。端末はデータ・チャネル上で受信されたパケットに関する受信通知を判定する（ブロック９１４）。端末はデータ・チャネルに関するシンボル系列を生成するためにそのデータ・チャネルに割当てられた直交符号（例えば、ウォルシュ符号）によって各データ・チャネルに関する受信通知をチャネル化する（ブロック９１６）。端末は各データ・チャネルに関するシンボル系列を多数回複製する（ブロック９１８）。端末は多元データ・チャネルに関する複製シンボル系列に基づいて受信通知チャネル（例えば、Ｒ-ＡＣＫＣＨ）に関する変調シンボルを生成する（ブロック９２０）。
【００９８】
データ・チャネルの数は設定可能である。受信通知が、例えば、ｃｄｍａ２０００との上位互換性について、ただ一つのデータ・チャネルについて送られつつあれば、全てゼロ或いは全て１の直交符号が使用される。データ・チャネルの数が第一の値（例えば、４）より少なければ、第一の長さ（例えば、４チップ）の直交符号が使用される。データ・チャネルの数が第一の値に等しいか大きければ、第二の長さ（例えば、８チップ）の直交符号が使用される。繰返し要素はまたデータ・チャネルの数に依存する。
【００９９】
図１０はチャネル品質指標（ＣＱＩ）通報を送るための処理１０００の実施例を示す。端末は多元順方向回線（ＦＬ）キャリアに関する完全ＣＱＩ通報を一つのＦＬキャリアについてその時受取られた信号品質を表す完全な各ＣＱＩ通報によって取得する（ブロック１０１２）。端末は完全な各ＣＱＩ通報を選択された基地局に関する直交符号（例えば、ウォルシュ符号）によってチャネル化する（ブロック１０１４）。端末は多元ＦＬキャリアに関する完全ＣＱＩ通報をＣＱＩチャネル上で異なる時間間隔（或いは、スロット）で送る（ブロック１０１６）。端末は多元ＦＬキャリアを巡回し、一度に一つのＦＬキャリアを選択し、そして完全ＣＱＩ通報を送るために指定された時間間隔で選択された各ＦＬキャリアに関する完全ＣＱＩ通報を送る。
【０１００】
端末は特定の時間間隔の多元ＦＬキャリアに関する差分ＣＱＩ通報を取得する（ブロック１０１８）。端末は符号語を取得するために多元ＦＬキャリアに関する差分ＣＱＩ通報を共同で符号化する（ブロック１０２０）。端末はＦＬキャリアの数に基づいてブロック符号を選択し、そして選択されたブロック符号によって差分ＣＱＩ通報を共同で符号化する。端末は符号語を選択された基地局に関する直交符号によってチャネル化する（ブロック１０２２）。そして端末はＣＱＩチャネル上で符号語を特定の時間間隔で送る（ブロック１０２４）。
【０１０１】
図１１は、例えば、マルチキャリア動作について、パイロット・オーバーヘッドを低減するための処理１１００の実施例を示す。端末はゲートされたパイロットの伝送を可能にする制御保留モードで動作する（ブロック１１１２）。端末は制御保留モードの間、順方向回線上で送られたデータ・チャネル（例えば、Ｆ-ＰＤＣＨ）を受取る（ブロック１１１４）。他の伝送が逆方向回線上で送られつつなければ、端末はゲートされたパイロットを逆方向回線上で送る（ブロック１１１６）。伝送が逆方向回線上で送られつつあれば、端末は完全パイロットを逆方向回線上で送る（ブロック１１１８）。例えば、端末はデータ・チャネル上で受取られたパケットに関する受信通知を生成し、逆方向回線上で完全パイロットと共に受信通知を送り、そして逆方向回線上で受信通知の伝送を完了した後でゲートされたパイロットの伝送を再開する。端末は退出事象（それは制御保留モードから抜け出す信号通信の受信である）、逆方向回線上のデータの伝送、等々に応えて制御保留モードから移行する（ブロック１１２０）。
【０１０２】
図８〜図１１はマルチキャリア動作について端末によって実行される処理を示す。基地局はマルチキャリア動作に対応する補完的処理を行う。
【０１０３】
図１２は基地局１１０及び端末１２０の実施例のブロック図を示す。順方向回線について、基地局１１０において、符号器１２１０は端末のトラヒック・データ及び信号通信を受取る。符号器１２１０はトラヒック・データ及び信号通信を処理（例えば、符号化、インタリーブ、及びシンボル写像）し、そして様々な順方向回線チャネル、例えば、ＦＰＤＣＨ、ＦＰＤＣＣＨ、ＦＡＣＫＣＨ及びＦＧＣＨに関する出力データを生成する。変調器１２１２は様々な順方向回線チャネルに関する出力データを処理（例えば、チャネル化、スペクトル拡散、及びスクランブル）し、そして出力チップを生成する。送信器（ＴＭＴＲ）１２１４は出力チップを調整（例えば、アナログ変換、増幅、フィルタ、及び高次周波数変換）し、そして順方向回線信号を生成し、それはアンテナ１２１６によって伝送される。
【０１０４】
端末１２０において、アンテナ１２５２は他の基地局からの信号と同様に基地局から順方向回線信号を受取り、そして受信信号を受信器（ＲＣＶＲ）１２５４に提供する。受信器１２５４は受信信号を調整（例えば、フィルタ、増幅、低次周波数変換、及びディジタル化）し、そしてデータ標本を提供する。復調器（Ｄｅｍｏｄ）１２５６はデータ標本を処理（例えば、逆スクランブル、逆拡散、及び逆チャネル化）し、そしてシンボル推定を行う。実施例では、受信器１２５４及び／または復調器１２５６は対象の全てのＦＬキャリアを通すためにフィルタリングを行う。復号器１２５８はシンボル推定値を処理（例えば、逆写像、逆インタリーブ、及び復号）し、そして基地局１１０によって送られたトラヒック・データ及び信号通信に関する復号データを端末１２０に提供する。復調器１２５６及び復号器１２５８は各ＦＬキャリアについて別々に復調及び復号を行う。
【０１０５】
逆方向回線上では、端末１２０において、符号器１２７０はトラヒック・データ及び信号通信（例えば、受信通知及びＣＱＩ通報）を処理し、そして様々な逆方向回線チャネル、例えば、Ｒ-ＰＤＣＨ、Ｒ-ＡＣＫＣＨ、Ｒ-ＣＱＩＣＨ、Ｒ-ＰＩＣＨ及びＲ-ＲＥＱＣＨに関する出力データを生成する。変調器１２７２はさらに出力データを処理し、そして出力チップを生成する。送信器１２７４は出力チップを調整し、そして逆方向回線信号を生成し、それはアンテナ１２５２から伝送される。基地局１１０において、逆方向回線信号は端末１２０によって送られたデータ及び信号通信を再生するためにアンテナ１２１６によって受信され、受信器１２３０によって調整され、復調器１２３２によって処理され、そしてさらに復号器１２３４によって処理される。
【０１０６】
制御器／プロセッサ１２２０及び１２６０は基地局１１０及び端末１２０においてそれぞれ動作を指令する。メモリ１２２２及び１２６２はデータと、制御器／プロセッサ１２２０及び１２６０のプログラム・コードを記憶する。スケジューラ１２２４はＦＬ及び／またはＲＬキャリアを端末に割当て、そして順方向及び逆方向回線上のデータ伝送について端末を予定計画する。
【０１０７】
ここに述べたマルチキャリア伝送技術は次の望ましい特性を有する：
●Ｒｅｖ Ｄの順方向回線と上位互換性があるマルチキャリア順方向回線−Ｒｅｖ Ｄの物理層への変更なし、
●Ｒｅｖ Ｄの逆方向回線と上位互換性があるマルチキャリア逆方向回線−ハードウェア実施に影響しない新しい上位互換可能なＲ-ＡＣＫＣＨ及びＲ-ＣＱＩＣＨ構造、及び
●柔軟な設定可能なシステム−Ｋ ＦＬキャリア及びＭ ＲＬキャリア（但し、Ｋ≦Ｎ×Ｍ及びＫ≧Ｍ）。
【０１０８】
ここに述べた伝送技術は様々な利点を提供する。第一に、その技術は単に或いは大抵はソフトウェア／ファームウェア更新をしてｃｄｍａ２０００改訂Ｄが多元キャリアへ対応することを可能にする。マルチキャリア動作に対応するためにいくつかのＲＬチャネル（例えば、Ｒ-ＡＣＫＣＨ及びＲ-ＣＱＩＣＨ）に比較的小変更が行われる。チャネル・カードのような現存のハードウェアが再使用されるように、これらの変更は基地局のソフトウェア／ファームウェア更新によって対処される。第二に、順方向及び逆方向回線上で高いピーク・データ速度に対応する。第三に、多元ＦＬキャリア上における多元Ｆ-ＰＤＣＨの使用はダイバシティを改善し、それはＱｏＳを改善する。柔軟なキャリア構造はＶＬＳＩ技術の進歩によってデータ速度の漸増を可能にする。
【０１０９】
見出しは参照のために、及びある節の位置づけを助けるためにここに含まれる。これらの見出しはその中に述べた概念の範囲を限定する意図はなく、そしてこれらの概念は全体の明細を通して他の節において適用可能性を有する。
【０１１０】
当業者は情報及び信号が様々な異なる技術及び技法を使用して表されることを理解するであろう。例えば、上の記述の至る所で引用されるデータ、指示、命令、情報、信号、ビット、シンボル、及びチップは電圧、電流、電磁波、磁界または粒子、光学場または粒子、またはそのいくつもの組合せによって表される。
【０１１１】
当業者はさらにここに開示された実施例に関連して記述された様々な例示の論理ブロック、モジュール、回路、及びアルゴリズム・ステップが電子ハードウェア、コンピュータ・ソフトウェア、または両者の組合せとして実施できることを理解するであろう。ハードウェア及びソフトウェアのこの互換性を明確に例示するために、様々な例示の構成部品、ブロック、モジュール、回路、及びステップは一般にそれらの機能性に関して上で述べられてきた。そのような機能性がハードウェアまたはソフトウェアとして実施されるかどうかは全体システムに課せられた特定のアプリケーション及び設計の制約に依存する。当業者は特定の各アプリケーションについて方法、手段を変えて機能性を実施するかもしれないが、そのような実施の決定は本発明の範囲からの逸脱であると解釈されるべきでない。
【０１１２】
ここに開示された実施例に関連して記述された様々な例示の論理ブロック、モジュール、及び回路はここに述べられた機能を実行するために設計された一般用途のプロセッサ、ディジタル信号プロセッサ（ＤＳＰ）、特定用途向け集積回路（ＡＳＩＣ）、フィールド・プログラマブル・ゲートアレイ（ＦＰＧＡ）または他のプログラマブル論理デバイス、個別ゲートまたはトランジスタ論理、個別ハードウェア部品、またはその組合せによって実施または実行される。一般用途のプロセッサはマイクロプロセッサであるが、これに代るもので、そのプロセッサはあらゆる従来のプロセッサ、コントローラ、マイクロコントローラ、または状態機械でもよい。プロセッサはまた計算デバイスの組合せ、例えば、ＤＳＰとマイクロプロセッサの組合せ、複数のマイクロプロセッサ、ＤＳＰコアと連動する一以上のマイクロプロセッサ、または他のそのような構成として実施される。
【０１１３】
ここに開示された実施例に関連して記述された方法またはアルゴリズムのステップは直接ハードウェアにおいて、プロセッサによって実行されるソフトウェア・モジュールにおいて、またはその二つの組合せにおいて具体化される。ソフトウェア・モジュールはＲＡＭメモリ、フラッシュ・メモリ、ＲＯＭメモリ、ＥＰＲＯＭメモリ、ＥＥＰＲＯＭメモリ、レジスタ、ハードディスク、リムーバブル・ディスク、ＣＤ-ＲＯＭ、または他の形の当技術分野において知られている記憶媒体に常駐される。典型的な記憶媒体はそのようなプロセッサが記憶媒体から情報を読取り、記憶媒体へ情報を書込むことができるようにプロセッサと接続される。これに代るものでは、記憶媒体はプロセッサに一体化してもよい。プロセッサ及び記憶媒体はＡＳＩＣに常駐してもよい。ＡＳＩＣはユーザー端末に常駐してもよい。これに代るものでは、プロセッサ及び記憶媒体はユーザー端末に個別部品として常駐してもよい。
【０１１４】
開示された実施例の前の記述は当業者が本発明を行い、または使用することを可能にするため提供される。これらの実施例への様々な修正は当業者には明白であり、ここに定義された一般的な原理は本発明の精神または範囲から逸脱することなく他の実施例に適用される。このように、本発明はここに示された実施例に限定されることを意図するものではないが、ここに開示された原理及び新規な特徴と合致する最も広い範囲を与えられるべきである。
【図１】
2011125000.tif 000005
【図２】
2011125000.tif 000006
【図３】
2011125000.tif 000007
【図４Ａ】
2011125000.tif 000008
【図４Ｂ】
2011125000.tif 000009
【図４Ｃ】
2011125000.tif 000010
【図５Ａ】
2011125000.tif 000011
【図５Ｂ】
2011125000.tif 000012
【図６Ａ】
2011125000.tif 000013
【図６Ｂ】
2011125000.tif 000014
【図６Ｃ】
2011125000.tif 000015
【図６Ｄ】
2011125000.tif 000016
【図６Ｅ】
2011125000.tif 000017
【図７】
2011125000.tif 000018
【図８】
2011125000.tif 000019
【図９】
2011125000.tif 000020
【図１０】
2011125000.tif 000021
【図１１】
2011125000.tif 000022
【図１２】
2011125000.tif 000023
【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
多元データ・チャネル上で受取られたパケットの受信通知を取得し、データ・チャネルに関するシンボル系列を生成するために各データ・チャネルに関する受信通知をデータ・チャネルに割当てられた直交符号によってチャネル化し、そして多元データ・チャネルに関するシンボル系列に基づいて受信通知チャネルに関する変調シンボルを生成するように構成された少なくとも一つのプロセッサ、及び
少なくとも一つのプロセッサに接続されたメモリを具備する装置。
【請求項２】
少なくとも一つのプロセッサは多元データ・チャネル上でパケットを多元順方向回線（ＦＬ）キャリア経由で受取るように構成される、請求項１記載の装置。
【請求項３】
少なくとも一つのプロセッサは受信通知チャネルに関する変調シンボルを生成するために各データ・チャネルに関するシンボル系列を多数回複製し、且つ多元データ・チャネルに関する複製シンボル系列を加算するように構成される、請求項１記載の装置。
【請求項４】
受信通知がただ一つのデータ・チャネルについて送られつつあれば、少なくとも一つのプロセッサは全てゼロの直交符号を使用するように構成される、請求項１記載の装置。
【請求項５】
データ・チャネルの数は設定可能である、請求項１記載の装置。
【請求項６】
データ・チャネルの数が第一の値より小さければ第一の長さの直交符号を使用し、データ・チャネルの数が第一の値に等しいか、大きければ第二の長さの直交符号を使用するように構成される、請求項５記載の装置。
【請求項７】
各データ・チャネルに関する直交符号はウォルシュ符号である、請求項１記載の装置。
【請求項８】
多元データ・チャネルは符号分割多元接続（ＣＤＭＡ）システムにおいて多元順方向回線キャリア上で送られる順方向パケット・データ・チャネル（Ｆ-ＰＤＣＨ）である、請求項１記載の装置。
【請求項９】
多元データ・チャネル上でパケットの受信通知を取得すること、  
データ・チャネルに関するシンボル系列を生成するために各データ・チャネルに関する受信通知をそのデータ・チャネルに割当てられた直交符号によってチャネル化すること、及び
多元データ・チャネルに関するシンボル系列に基づいて受信通知チャネルに関する変調シンボルを生成することを含む方法。
【請求項１０】
変調シンボルを生成することは、
各データ・チャネルに関するシンボル系列を多数回複製すること、及び
受信通知チャネルに関する変調シンボルを取得するために多元データ・チャネルに関する複製シンボル系列を加算することを含む、請求項９記載の方法。
【請求項１１】
データ・チャネルの数が第一の値より小さければ第一の長さの直交符号を使用すること、及び
データ・チャネルの数が第一の値に等しいか、大きければ第二の長さの直交符号を使用することを含む、請求項９記載の方法。
【請求項１２】
多元データ・チャネル上でパケットの受信通知を取得する手段、  
データ・チャネルに関するシンボル系列を生成するために各データ・チャネルに関する受信通知をそのデータ・チャネルに割当てられた直交符号によってチャネル化する手段、及び
多元データ・チャネルに関するシンボル系列に基づいて受信通知チャネルに関する変調シンボルを生成する手段を具備する装置。
【請求項１３】
変調シンボルを生成する手段は、  
各データ・チャネルに関するシンボル系列を多数回複製する手段、及び
受信通知チャネルに関する変調シンボルを取得するために多元データ・チャネルに関する複製シンボル系列を加算する手段を具備する、請求項１２記載の装置。
【請求項１４】
データ・チャネルの数が第一の値より小さければ第一の長さの直交符号を使用する手段、及び
データ・チャネルの数が第一の値に等しいか、大きければ第二の長さの直交符号を使用する手段をさらに具備する、請求項１２記載の装置。
【請求項１５】
多元順方向回線（ＦＬ）キャリアに関する完全チャネル品質指標（ＣＱＩ）通報を取得し、そして多元ＦＬキャリアに関する完全ＣＱＩ通報を別の時間区間（time intervals）にＣＱＩチャネル上で送り、完全な各ＣＱＩ通報は一つのＦＬキャリアに関する受信信号品質を表わすように構成された少なくとも一つのプロセッサ、及び
少なくとも一つのプロセッサに接続されたメモリを具備した装置。
【請求項１６】
少なくとも一つのプロセッサは多元ＦＬキャリアの間を巡回し、且つ完全ＣＱＩ通報を送る時間に一つのＦＬキャリアを選択し、そして完全ＣＱＩ通報を送るために指定された時間区間に選択された各ＦＬキャリアに関する完全ＣＱＩ通報を送るように構成される、請求項１５記載の装置。
【請求項１７】
少なくとも一つのプロセッサは特定の時間区間の多元ＦＬキャリアに関する差分ＣＱＩ通報を取得し、符号語を得るため多元ＦＬキャリアに関する差分ＣＱＩ通報を一緒に符号化し、そして特定の時間区間にＣＱＩチャネル上で符号語を送るように構成される、請求項１５記載の装置。
【請求項１８】
少なくとも一つのプロセッサはＦＬキャリアの数に基づいてブロック符号を選択し、そして符号語を得るため差分ＣＱＩ通報を選択されたブロック符号によって一緒に符号化するように構成される、請求項１７記載の装置。
【請求項１９】
少なくとも一つのプロセッサは選択された基地局に関する直交符号によって完全な各ＣＱＩ通報をチャネル化するように構成される、請求項１５記載の装置。
【請求項２０】
少なくとも一つのプロセッサは選択された基地局に関する直交符号によって符号語をチャネル化するように構成される、請求項１７記載の装置。
【請求項２１】
多元ＦＬキャリアは符号分割多元接続（ＣＤＭＡ）システムに関するものである、請求項１５記載の装置。
【請求項２２】
多元順方向回線（ＦＬ）キャリアに関する完全チャネル品質指標（ＣＱＩ）通報を取得することであって、完全な各ＣＱＩ通報は一つＦＬキャリアの受信信号品質を表わし、及び
多元ＦＬキャリアに関する完全ＣＱＩ通報を別の時間区間にＣＱＩチャネル上で送ることを含む方法。
【請求項２３】
選択された基地局に関する直交符号によって完全な各ＣＱＩ通報をチャネル化することをさらに含む、請求項２２記載の方法。
【請求項２４】
特定の時間区間の多元ＦＬキャリアに関する差分ＣＱＩ通報を取得すること、
符号語を得るために多元ＦＬキャリアに関する差分ＣＱＩ通報を一緒に符号化すること、及び
符号語をＣＱＩチャネル上で特定の時間区間に送ることを含む、請求項２２記載の方法。
【請求項２５】
多元順方向回線（ＦＬ）キャリアに関する完全チャネル品質指標（ＣＱＩ）通報を取得する手段であって、完全な各ＣＱＩ通報は一つＦＬキャリアの受信信号品質を表わす手段、及び
多元ＦＬキャリアに関する完全ＣＱＩ通報を別の時間区間にＣＱＩチャネル上で送る手段を具備する装置。
【請求項２６】
選択された基地局に関する直交符号によって完全な各ＣＱＩ通報をチャネル化する手段をさらに具備する、請求項２５記載の装置。
【請求項２７】
特定の時間区間の多元ＦＬキャリアに関する差分ＣＱＩ通報を取得する手段、
符号語を得るために多元ＦＬキャリアに関する差分ＣＱＩ通報を一緒に符号化する手段、及び
符号語をＣＱＩチャネル上で特定の時間区間に送る手段を具備する、請求項２５記載の装置。
【請求項２８】
ゲートされたパイロットの伝送を可能にする制御保留モードにおいて動作し、制御保留モードの間、順方向回線上で送られたデータ・チャネルを受取り、他の伝送が逆方向回線上で送られていなければゲートされたパイロットを逆方向回線上で伝送し、そして伝送が逆方向回線上で送られつつあれば完全パイロットを逆方向回線上で伝送するように構成された少なくとも一つのプロセッサ、及び
少なくとも一つのプロセッサに接続されたメモリを具備する装置。
【請求項２９】
少なくとも一つのプロセッサはデータ・チャネル上で受取られたパケットについて受信通知を生成し、逆方向回線上で完全パイロットと共に受信通知を送り、そして逆方向回線上で完全パイロットの伝送を終えた後でゲートされたパイロットの伝送を再開するように構成される、請求項２８記載の装置。
【請求項３０】
少なくとも一つのプロセッサは制御保留モードを抜け出す信号を受取るか、データを逆方向回線上で伝送すると制御保留モードから移行するように構成される、請求項２８記載の装置。
【請求項３１】
データ・チャネルは符号分割多元接続（ＣＤＭＡ）システムにおいて順方向回線キャリア上で送られた順方向パケット・データ・チャネル（Ｆ-ＰＤＣＨ）である、請求項２８記載の装置。
【請求項３２】
ゲートされたパイロットの伝送を可能にする制御保留モードにおいて動作すること、
制御保留モードの間、順方向回線上で送られたデータ・チャネルを受取ること、  
他の伝送が逆方向回線上で送られていなければゲートされたパイロットを逆方向回線上で伝送すること、及び
伝送が逆方向回線上で送られつつあれば完全パイロットを逆方向回線上で伝送することを含む方法。
【請求項３３】
データ・チャネル上で受取られたパケットに関する受信通知を生成すること、
完全パイロットと共に受信通知を逆方向回線上で送ること、及び
逆方向回線上の受信通知の伝送を完了した後、ゲートされたパイロットの伝送を再開することをさらに含む、請求項３２記載の方法。
【請求項３４】
ゲートされたパイロットの伝送を可能にする制御保留モードにおいて動作する手段、
制御保留モードの間、順方向回線上で送られたデータ・チャネルを受取る手段、
他の伝送が逆方向回線上で送られていなければゲートされたパイロットを逆方向回線上で伝送する手段、及び
伝送が逆方向回線上で送られつつあれば完全パイロットを逆方向回線上で伝送する手段を具備する装置。
【請求項３５】
データ・チャネル上で受取られたパケットに関する受信通知を生成する手段、  
完全パイロットと共に受信通知を逆方向回線上で送る手段、及び
逆方向回線上の受信通知の伝送を完了した後、ゲートされたパイロットの伝送を再開する手段をさらに具備する、請求項３４記載の装置。
【外国語明細書】
2011125000000001.pdf